(57)【要約】種々の材料を収容する格納区画を含む注射システムが記載される。格納区画は、空間的及び時間的に効率的な方法において医療の提供を容易化し、非医療施設における治療の提供において特に有用である。
2018512932.tif 000002
【特許請求の範囲】
【請求項１】
シリンジの薬剤チャンバ内への挿入のための遠位端と、格納区画を備える近位端と、を備えるシリンジプランジャ。
【請求項２】
前記格納区画は、薬剤及び／または医療用品を収容する、請求項１に記載のシリンジプランジャ。
【請求項３】
前記薬剤または医療用品は、抗ヒスタミン剤、コルチコステロイド、消毒薬、抗不整脈薬、昇圧薬、ｐＨ上昇薬、針、スポンジ、ガーゼ、管、及び／または針から選択される、請求項１に記載のシリンジプランジャ。
【請求項４】
シリンジであって、
薬剤が排出され得る開口部を有する遠位端、及びプランジャが挿入され得る近位端を含む薬剤チャンバと、
前記薬剤チャンバ内への挿入のための遠位端、及び格納区画を備える近位端を有するシリンジプランジャと、を備える、シリンジ。
【請求項５】
前記格納区画は、薬剤及び／または医療用品を収容する、請求項４に記載のシリンジ。
【請求項６】
前記格納区画は、経口薬または塗り薬を収容する、請求項４に記載のシリンジ。
【請求項７】
前記薬剤は、エピネフリン、抗ヒスタミン剤、コルチコステロイド、抗不整脈薬、昇圧薬、ｐＨ上昇薬、または消毒薬である、請求項５に記載のシリンジ。
【請求項８】
前記格納区画は、針、ガーゼ、スポンジ、または管を収容する、請求項４に記載のシリンジ。
【請求項９】
前記格納区画は、取り外し可能な封止体によって覆われる、請求項４〜８のいずれか１項に記載のシリンジ。
【請求項１０】
前記取り外し可能な封止体は、キャップ、ホイル、またはラップである、請求項９に記載のシリンジ。
【請求項１１】
スポンジは、封止体が前記格納区画の開口部から取り外された後に前記格納区画の外側に延在する、請求項４に記載のシリンジ。
【請求項１２】
前記薬剤チャンバは、主薬剤が予め装填され、前記格納区画は、補助薬剤、余分の用量、補足的な薬剤、及び／または医療用品を収容する、請求項４〜８のいずれか１項に記載のシリンジ。
【請求項１３】
前記シリンジとは別個の（ｉ）主薬剤、及び（ｉｉ）補助薬剤、余分の用量、補足的な薬剤、及び／または医療用品を前記格納区画内に有するキット内に提供される、請求項４〜８のいずれか１項に記載のシリンジ。
【請求項１４】
少なくとも２つのシリンジであって、各シリンジが、薬剤が排出され得る開口部を有する遠位端、及びプランジャが挿入され得る近位端を含む薬剤チャンバを有する、シリンジと、プランジャであって、各プランジャが、薬剤チャンバ内への挿入のための遠位端、及び格納区画を有する前記プランジャのうちの少なくとも１つの近位端を有する、プランジャと、を備える、複数注射デバイス。
【請求項１５】
前記シリンジは、物理的に連結される、請求項１４に記載の複数注射デバイス。
【請求項１６】
２つ、３つ、または４つのシリンジを備える、請求項１４に記載の複数注射デバイス。
【請求項１７】
前記薬剤チャンバは、出口体が出口体開口部と整列されたチャンバを除く全てのチャンバからの薬剤放出を阻止するように、薬剤放出用の前記開口部を備える前記出口体に接続される、請求項１４〜１６のいずれか１項に記載の複数注射デバイス。
【請求項１８】
前記出口体は、薬剤解放用の単一開口部を備える、請求項１７に記載の複数注射デバイス。
【請求項１９】
前記出口体は、中心軸を中心として回転する、請求項１７に記載の複数注射デバイス。
【請求項２０】
前記出口体は、前記薬剤チャンバに固定的に取り付けられる第１の部分と、前記第１の部分に回転自在に結合され前記第１の部分に対して中心軸を中心として回転するように構成された第２の部分と、を有する、請求項１７に記載の複数注射デバイス。
【請求項２１】
前記シリンジは、箱または袋内に収容される、請求項１４〜１６のいずれか１項に記載の複数注射デバイス。
【請求項２２】
治療的有効量の主薬剤は、前記箱または袋内の前記シリンジとは別個に提供される、請求項２１に記載の複数注射デバイス。
【請求項２３】
前記箱または袋内に、かつ前記シリンジとは別個に、補助薬剤、余分の用量、補足的な薬剤及び医療用品をさらに備える、請求項２２に記載の複数注射デバイス。
【請求項２４】
１つの薬剤チャンバは、治療的有効量の主薬剤が予め装填され、１つの薬剤チャンバは、補助薬剤、余分の用量、または補足的な薬剤が予め装填され、前記格納区画は、医療用品を収容する、請求項１４〜１６のいずれか１項に記載の複数注射デバイス。
【請求項２５】
１つの薬剤チャンバは、治療的有効量の主薬剤が予め装填され、１つの薬剤チャンバは、補助薬剤、余分の用量、または補足的な薬剤が予め装填され、前記格納区画は、異なる補助薬剤、余分の用量、または補足的な薬剤を収容する、請求項１４〜１６のいずれか１項に記載の複数注射デバイス。
【請求項２６】
病気の処置用の携帯用キットであって、機構、格納区画、主薬剤、補助薬剤、余分の用量、補足的な薬剤、及び医療用品と関連付けられた少なくとも２つのシリンジを備える、携帯用キット。
【請求項２７】
前記機構は、前記少なくとも２つのシリンジの同時使用を可能にする、請求項２６に記載の携帯用キット。
【請求項２８】
前記主薬剤は、アレルギー反応または心臓の異常を処置するための治療的有効量で提供される、請求項２６または２７に記載の携帯用キット。
【請求項２９】
薬剤が排出され得る開口部を有する遠位端、及びプランジャが挿入され得る近位端を有する薬剤チャンバと、前記薬剤チャンバ内への挿入のための遠位端、及び格納区画を備える近位端を有するシリンジプランジャと、を備えるシリンジを得ることと、
前記シリンジ内に収容されている主薬剤を対象に投与することと、を含む、方法。
【請求項３０】
格納区画は、医療用品、補助薬剤、または補足的な薬剤を含有する、請求項２９に記載の方法。
【請求項３１】
前記医療用品は、消毒薬ワイプであり、前記方法は
前記消毒薬ワイプを前記格納区画から取り出すことと、
前記主薬剤を投与する前に前記対象の注射部位を清潔にすることと、をさらに含む、請求項３０に記載の方法。
【請求項３２】
前記補足的な薬剤を前記格納区画から取り出すことと、
前記補足的な薬剤を前記対象に投与することと、をさらに含む、請求項３０に記載の方法。
【請求項３３】
前記補助薬剤を前記格納区画から取り出すことと、
前記補助薬剤を前記対象に投与することと、をさらに含む、請求項３０に記載の方法。
【請求項３４】
少なくとも２つのシリンジであって、各シリンジが、薬剤が排出され得る開口部を有する遠位端、及びプランジャが挿入され得る近位端を有する薬剤チャンバを有する、シリンジと、プランジャであって、各プランジャが、前記薬剤チャンバ内への挿入のための遠位端、及び格納区画を有する前記プランジャのうちの少なくとも１つの近位端を有する、プランジャと、を備える複数注入デバイスを得ることと、
前記少なくとも２つのシリンジの第１のシリンジ内に収容されている主薬剤を対象に投与することと、を含む、方法。
【請求項３５】
前記格納区画は、医療用品、補助薬剤、または補足的な薬剤を含有する、請求項３４に記載の方法。
【請求項３６】
前記医療用品は、消毒薬ワイプであり、前記方法は、
前記消毒薬ワイプを前記格納区画から取り出すことと、
前記主薬剤を投与する前に前記対象の注射部位を清潔にすることと、をさらに含む、請求項３５に記載の方法。
【請求項３７】
前記補足的な薬剤を前記格納区画から取り出すことと、
前記補足的な薬剤を前記対象に投与することと、をさらに含む、請求項３５に記載の方法。
【請求項３８】
前記補助薬剤を前記格納区画から取り出すことと、
前記補助薬剤を前記対象に投与することと、をさらに含む、請求項３５に記載の方法。
【請求項３９】
前記少なくとも２つのシリンジの第２のシリンジの内容物を前記対象に投与することをさらに含む、請求項３４〜３８のいずれか１項に記載の方法。
【請求項４０】
前記第２のシリンジの前記内容物は、前記主薬剤の余分の用量、補助薬剤、または補足的な薬剤である、請求項３９に記載の方法。
【請求項４１】
複数注射デバイスを作製する方法であって、
少なくとも２つのプランジャを形成することであって、第１のプランジャが格納区画を備える近位端を有する、形成することと、
少なくとも２つの薬剤チャンバを形成することと、
少なくとも２つのシリンジが形成されるように前記少なくとも２つのプランジャの遠位端を前記少なくとも２つの薬剤チャンバの近位端内に挿入することと、を含む、方法。
【請求項４２】
主薬剤を前記少なくとも２つのシリンジの第１のシリンジ内に装填することをさらに含む、請求項４１に記載の方法。
【請求項４３】
前記主薬剤の余分の用量を前記少なくとも２つのシリンジの第２のシリンジ内に装填することをさらに含む、請求項４２に記載の方法。
【請求項４４】
補助薬剤または補足的な薬剤を前記少なくとも２つのシリンジの第２のシリンジ内に装填することをさらに含む、請求項４２に記載の方法。
【請求項４５】
医療用品、補助薬剤、または補足的な薬剤を前記格納区画内に挿入することと、
前記格納区画を前記取り外し可能な封止体または蓋で覆うことと、をさらに含む、請求項４１〜４４のいずれか１項に記載の方法。
【請求項４６】
前記少なくとも２つの薬剤チャンバは、単一の部品で形成される、請求項４１〜４４のいずれか１項に記載の方法。
【請求項４７】
前記少なくとも２つの薬剤チャンバは、連結機構によって連結される、請求項４１〜４４のいずれか１項に記載の方法。
【請求項４８】
前記少なくとも２つの薬剤チャンバは、出口体が出口体開口部と整列されたチャンバを除く全てのチャンバからの薬剤放出を阻止するように、薬剤放出用の前記出口体開口部を備える前記出口体に接続される、請求項４１〜４４のいずれか１項に記載の方法。
【発明の詳細な説明】
【技術分野】
【０００１】
本開示は、種々の材料を収容する格納区画を含む注射システムを提供する。格納区画は、空間的及び時間的に効率的な方法における医療の提供を容易化し、非医療施設における治療の提供において特に有用である。
【０００２】
関連出願の相互参照
本出願は、２０１５年３月２７日に出願された、米国仮出願第６２／１３９，５８２号の優先権、及びその利益を主張し、その全体の内容が本明細書に参照によって組み込まれる。
【背景技術】
【０００３】
いくつかの健康異常への対応において時間が重要である。例えば、アレルギーによるアナフィラキシーショックにかかっている人は、反応が始まった後、薬剤がすぐに送達される必要があり得る。しかしながら、しばしば、このような人は、医療施設から遠い場所にいることがある。医療施設内においても、患者を処置するために必要な時間を低減することは、処置結果を向上し得る。
【発明の概要】
【０００４】
格納区画を含む注射システムが本明細書において開示される。システムは、医療施設の外で治療が必要になる事象において人によって持ち運び可能である簡潔な医療を提供する。システムはまた、薬剤及びしばしば一緒に使用される用品へのアクセスを合理化するために医療施設内において使用可能である。
【０００５】
本明細書において開示される実施形態は、シリンジ用のプランジャを有する注射デバイスを含む。プランジャは、格納区画を含み得る。格納区画を含むプランジャを有するシリンジは、個々のシリンジとして提供可能であり、または複数チャンバ付き注射デバイスを形成するように１つ以上の追加のシリンジと連結され得る。複数チャンバ付き注射デバイスが提供される場合、デバイス内のシリンジの１つ以上が、格納区画を有するプランジャを含み得る。
【０００６】
本明細書に開示される実施形態の各々は、非医療施設及び医療施設における医療の提供を容易化する。
【図面の簡単な説明】
【０００７】
【図１】格納区画を含むシリンジプランジャを図示する。
【図２Ａ】シリンジに関連付けられた格納区画を含むプランジャを図示する。図２Ａは、格納区画内における種々の薬剤（図２Ａ（カプセル））の含有物を図示する。
【図２Ｂ】シリンジに関連付けられた格納区画を含むプランジャを図示する。図２Ｂは、格納区画内における種々の薬剤（図２Ｂ（錠剤））の含有物を図示する。
【図２Ｃ】シリンジに関連付けられた格納区画を含むプランジャを図示する。図２Ｃは、格納区画内における医療用品（図２Ｃ（折り畳まれた消毒薬ワイプ））の含有物を図示する。
【図２Ｄ】シリンジに関連付けられた格納区画を含むプランジャを図示する。図２Ｄは、格納区画内における医療用品（図２Ｄ（スポンジ））の含有物を図示する。
【図２Ｅ】シリンジに関連付けられた格納区画を含むプランジャを図示する。図２Ｅは、格納区画内における医療用品（図２Ｅ（圧縮されたスポンジ））の含有物を図示する。
【図３】複数チャンバ付き注射デバイスを形成するために連結された格納区画を有するプランジャを含む２つのシリンジを図示する。
【図４】（４Ａ）各々、格納区画を有する複数プランジャを含む複数チャンバ付き注射デバイスの斜視図を示す。（４Ｂ）４Ａの複数チャンバ付き注射デバイスの分解斜視図を示す。
【図５】異なる視点からの図４Ａの複数チャンバ付き注射デバイスの分解斜視図を示す。
【図６】各々、格納区画を有しプランジャ安全ロックを有する複数プランジャを含む複数チャンバ付き注射デバイスの側面図を示す。
【図７】各々、格納区画を有しプランジャ安全ロック及びスリット形状出口を有する複数プランジャを含む複数チャンバ付き注射デバイスの分解斜視図を示す。
【発明を実施するための形態】
【０００８】
ある特定の健康異常への対応について時間が重要であり得る。例えば、アナフィラキシーショックにかかっている人または動物は、反応が始まった後、薬剤がすぐに送達される必要があり得る。必要な薬剤及び医療用品が、アクセス容易に及び使用構成に予め組み込まれていない場合、貴重な時間が失われ得る。したがって、使用することが容易な単一注射システムに対し、複数薬剤、薬剤（例えば、静脈注射用、経口用、舌下用、心臓内用）の複数送達機構、薬剤を投与する手段、及び／または消毒薬成分を有する塗布器を併合することは、大きな利益を提供する。
【０００９】
格納区画を含む注射システムを提供することによって医療処置の実施を容易化する注射システムが本明細書に開示される。格納区画を含む注射システムは、種々の薬剤及び医療用品を空間的及び使用に効率的な方法において一緒に収容することを可能にする。空間的に効率的な設計は、より多くの薬剤及び医療用品を個人が医療施設の外に持ち運ぶことを可能にする。使用に効率的な設計は、実施の容易化、組み込みに必要な時間の短縮、及び種々の薬剤の安全な投与を促進する。
【００１０】
注射システムは、薬剤が予め提供されることなく、または予め装填されることなく、末端利用者に提供され得る。これらの実施形態において、末端利用者は、薬剤及び用品を選択し注射システム内に装填することができる。更なる実施形態において、注射システムは、医療用品を伴うが、薬剤が予め装填されずに手に入れることができる。特定の実施形態において、医療用品は、格納区画内に収容され得る。医療用品は、薬剤の投与を容易化する任意の品物、例えば、綿、ガーゼ、包帯、管、針、生理食塩水、消毒薬ワイプ、ステント、漏斗、スポンジ、チップ等を含む。更なる実施形態において、注射システムは、医療用品ではなく、薬剤が予め装填されて手に入れることができる。また更なる実施形態において、注射システムは、薬剤及び医療用品が予め装填されて手に入れることができる。
【００１１】
使用において、注射システムは、主薬剤を含む。主薬剤は、末端利用者が体験し得るまたは遭遇し得る健康異常を処置することが意図される１つのものである。例えば、末端利用者が、重いアレルギー反応の傾向がある、または重いアレルギー反応の傾向がある人もしくは動物と時間を過ごすことになりそうな場合、主薬剤は、エピネフリンであり得る。主薬剤は、格納区画内に収容され得る、またはシリンジの薬剤チャンバ内に予め装填され得る。
【００１２】
他の特定の実施形態において、注射システムは、補助薬剤、余分の用量、または補足的な薬剤のうちの１つ以上を含み得る。補助薬剤、余分の用量、及び／または補足的な薬剤は、格納区画内に収容され得る、及び／または主薬剤を収容していない薬剤チャンバ内に予め装填され得る。
【００１３】
補助薬剤は、それ自体、体験するまたは遭遇することになりそうな健康異常を処置することが意図されるものではなく、主薬剤の主な処置目的を補助する有益な効果を提供する薬剤である。例えば、注射システムがアレルギー反応を処置するように構成される場合、主薬剤は、エピネフリンであり、補助薬剤は、消毒薬、抗生物質、抗不安薬剤、または疼痛対策薬剤であり得る。
【００１４】
余分の用量は、主薬剤の追加の用量である。余分の用量は、結果として主薬剤用量の投与の不足をもたらす、主用量が予期せず問題の健康異常を克服するために十分に高くない事象、またはシステム不良がある事象において提供され得る。余分の用量はまた、長期間の繰り返しの投与が必要とされる処置計画に対して提供され得る。
【００１５】
補足的な薬剤は、主薬剤が処置することを意図されるものと同じ健康異常を処置することが意図される第２の異なる薬剤である。例えば、アレルギー反応に対し、主薬剤は、エピネフリンであり、補足的な薬剤は、抗ヒスタミン剤またはステロイドであり得る。特定の実施形態において、補足的な薬剤は、主薬剤と同じ健康異常であるが、異なる作用機構を通して処置することが意図される。
【００１６】
本明細書において開示される注射システムの実施形態は、シリンジ用のプランジャ、シリンジ、複数チャンバ付き注射デバイス、及び携帯用キットを含む。注射システムのこれらの形式の各々は、種々の図を参照してより完全に説明される。同じ参照番号は、図の全体を通して例示的デバイスの同じまたは類似の特徴（複数可）を図示するために使用される。
【００１７】
図１は、格納区画１０４を含むシリンジプランジャ１０２を図示する。経口投与用のカプセル１０６が図示されるが、他の場所で示されるように、種々の形式の薬剤及び医療用品が格納区画１０４内に収容され得る。格納区画は、注射デバイスそれ自体の中にあってもよく、注射デバイスから独立して注射システム内の他の場所に提供されてもよい。
【００１８】
この図示された実施形態において、格納区画は、蓋１１０を含む。蓋１１０は、必要とされるときに使用準備されるように、格納区画１０４内に収容されている薬剤及び／または医療用品を実質的に保持可能な任意の機構であり得る。例示的な蓋機構としては、摩擦嵌めキャップ、スナップキャップ、ネジキャップ、フィルム、ホイル、布、及びカバーを含む。いくつかの実施形態において、封止体が蓋に加えて使用され得る。このような実施形態において、封止体は、薬剤及び／または医療用品の無菌状態を維持するために適当な位置にあり得る。例示的な封止体としては、フィルム、ホイル、カバー等を含む。
【００１９】
図２Ａ〜２Ｄは、注射デバイス１００を形成するように薬剤チャンバ１１２に関連付けられた格納区画１０４を含むプランジャ１０２を図示する。図示された実施形態において、格納区画は、蓋１１０を含む。種々の実施形態において、注射デバイスは、任意のプランジャ、シリンジ、またはシリンジシステムを含み得る。例示的なプランジャ、シリンジ、及びシリンジシステムとしては、ルアーロックシリンジ、Ａｉｒ−Ｔｉｔｅシリンジ、Ｂｅｃｔｏｎ  Ｄｉｃｋｉｎｓｏｎ（Ｆｒａｎｋｌｉｎ  Ｌａｋｅｓ，ＮＪ）、Ａｌｌｅｇｒｏ  Ｍｅｄｉｃａｌ、Ｃｏｌｅ−Ｐａｌｍｅｒ、及びＣａｔａｌｅｎｔから入手可能なシリンジ、ＥＰＩ−ＰＥＮ（Ｍｙｌａｎ，Ｃａｎｏｎｓｂｕｒｇ，ＰＡ）、ならびにＡｌｌｅｒｊｅｃｔ（Ｓａｎｏｆｉ，Ｌａｖａｌ，Ｑｕｅｂｅｃ）を含む。
【００２０】
図２Ａ〜２Ｄにおいて、図示された薬剤は、カプセル１０６（図２Ａ）もしくは錠剤１０７（図２Ｂ）である、及び／または医療用品は、消毒薬ワイプ１０８（図２Ｃ）もしくはスポンジ１０９（図２Ｄ）である。
【００２１】
図２Ｅに見られるように、スポンジ１０９のような医療用品は、蓋１１０の下、無菌状態を維持するように任意に封止体１４２を伴い、圧縮された状態で格納され得る。医療用品が格納区画内に封止される実施形態において、封止体が取り外され、スポンジのような医療用品が、図２Ｅに例示されるように、格納区画の壁を越えて膨張して延在し得る。いくつかの実施形態において、スポンジは、消毒薬溶液または消毒薬ゲルを含有し得る。
【００２２】
図３は、薬剤チャンバ１１２、１１３と、連結機構１１４によって連結された格納区画１０４、１０５を含むプランジャ１０２、１０３と、を含む２つのシリンジを含む複数チャンバ付き注射デバイス１００を図示する。この図示された実施形態において、１つの格納１０４区画は、カプセル１０６を収容し、一方で第２の格納区画１０５は、錠剤１０７を収容し、格納区画の両方は、蓋１１０、１１１を含む。
【００２３】
複数チャンバ付き注射デバイス１００をなすシリンジは、ハウジングまたはクリップのような任意の適当な連結機構１１４によって連結され得る。いくつかの実施形態において、シリンジは、一緒に融着されてもよく、または単一片材料から形成されてもよい。シリンジは、これらの互いに対する向きを一定に維持する機構１１４、またはシリンジが互いに対して動くことを可能にし得る機構１１４によって連結され得る。例えば、連結機構１１４は、両方の注射針が同時に利用可能であり、２つの注射を同時に提供するように、平行な向きにシリンジを保持することができる。これに代えて、連結機構１１４は、１つのみの注射が一度に提供され得るように、シリンジが互いに対して長手方向に回転することを可能にし得る。
【００２４】
図４Ａ〜７を参照すると、例示的な実装において、注射デバイス１００は、薬剤チャンバ１１２ａ、１１２ｂ、１１２ｃ、１１２ｎ（まとめて、及び互換的に１１２として参照する）の１つ以上を有し、各チャンバ１１２が、近位端１１６、遠位端１１８、及びその中に予め装填された内容物を有し得るチャンバキャビティ１２０を有する。チャンバキャビティ１２０は、蓋１１０を含み得る。注射デバイス１００は、２つまたは４つのチャンバ１１２を伴って示されるが、注射デバイス１００は、より多いまたはより少ない数のチャンバ１１２を有してもよい。注射デバイス１００は、チャンバ１１２の１つ以上の内側に既に内容物を含んで準備され利用者に提示され得る。チャンバ１１２は、略円筒形状であり、各チャンバは、プランジャ１０２ａ、１０２ｂ、１０２ｃ、１０２ｎ（まとめて、及び互換的に１０２として参照する）に関連付けられることで、プランジャ１０２の端部に力が加えられたときに、チャンバ１１２の内容物を排出する。内容物は、固体、気体、または流体であってもよい。内容物は、単一化合物または複数化合物の混合物を含有し得る。いくつかの実施形態において、内容物は、予め混合される、またはさもなければチャンバ１１２内に挿入される前に投与のために調製される。他の実施形態において、内容物は、プランジャ１０２に力が加えられたときに破れるフィルムまたは他の膜によって隔てられ得る。内容物は、薬剤であってもよく、または、例えば、生理食塩水もしくは水のような他の非医薬内容物であってもよい。
【００２５】
複数チャンバ１１２の各々は、同じまたは異なる内容物を含有し得る。いくつかの実装において、２つ以上のチャンバ１１２（例えば、１１２ａ及び１１２ｂのような）が、同じ内容物を含有してもよい一方で、他のチャンバ１１２が、１つ以上の異なる内容物を含有する。同じ内容物（例えば、余分の用量）をより多くのチャンバ１１２内に提供することは、余剰物を提供し、１つのチャンバ１１２の内容物の投与が失敗した場合に、利用者が第２の用量を投与することを可能にする。例えば、これは、注射デバイス１００に伴う、または注射デバイス１００の使用に伴う、いずれかの失敗がある場合に、バックアップ機能を提供することができる。他の実施形態において、余分の用量は、薬剤の繰り返しの投与が是認される場合に使用され得る。
【００２６】
さらに、同じ内容物を複数の異なるチャンバ１１２に分割することは、１回分の用量の簡素な調節を可能にし得る。つまり、同じ内容物の複数の異なるチャンバ１１２への分割は、利用者にとってより容易であり、より正確な投与される用量へとつながり、第１のチャンバ１１２ａの内容物を完全に分注し、それから、必要であれば、チャンバ１１２ａの残留内容物を分注することに続いてチャンバ１１２ａの内容物を部分的に分注するのではなく、第２のチャンバ１１２ｂの全部の内容物を使用し得る。注射デバイスが任意の数のチャンバ１１２を有し得るので、種々の容量または用量が、たやすく達成され得る。種々の実施形態において、１回分の用量は、特定の末端利用者にカスタマイズされ得る。例えば、１回分の用量は、体重、薬物クリアランス率、年齢（例えば、幼児、小児、成人等）等に基づいて決定され得る。
【００２７】
チャンバ１１２の１つ以上が、予め装填される場合、予め装填されていない１つ以上の他のチャンバ１１２がまたあってもよい。存在する場合、空のチャンバ１１２が、不使用のままになり得る（例えば、注射デバイス１００が４つのチャンバ１１２を有するが、特定の用途に対して３つのみが必要とされる）、または空のチャンバ１１２は、利用者によって使用時にまたはそのすぐ前に充填され得る。
【００２８】
一態様において、注射デバイス１００は、特有の医療的必要性を処置するために、一緒に使用されることが意図される薬剤により予め装填されたチャンバ１１２を有し得る。例えば、アナフィラキシーのような強いアレルギー反応の処置は、エピネフリン（アドレナリン、主薬剤）、抗ヒスタミン剤（補足的な薬剤）、ステロイド（補足的な薬剤）、抗不安薬剤（補助薬剤）、及び／または疼痛対策薬剤（補助薬剤）の注射によって対処され得る。抗ヒスタミン剤は、ジフェンヒドラミンまたは類似の抗ヒスタミン剤であり得る。ステロイドは、コーチゾン、プレドニゾン、メチルプレドニソロン（ＭＥＤＲＯＬ（登録商標）（Ｐｈａｒｍａｃｉａ＆Ｕｐｊｏｈｎ  Ｃｏｍｐａｎｙ  ＬＬＣ，Ｐｅａｐａｃｋ，ＮＪ）、及びデキサメタゾン（ＤＥＣＡＤＲＯＮ（登録商標）（Ｐｒａｇｍａ  Ｐｈａｒｍａｃｅｕｔｉｃａｌｓ  ＬＬＣ，Ｌｏｃｕｓｔ  Ｖａｌｌｅｙ，ＮＹ））を含むコルチコステロイドであり得る。
【００２９】
一例において、注射デバイス１００の第１のチャンバ１１２ａは、エピネフリンを含有し、注射デバイス１００の第２のチャンバ１１２ｂは、抗ヒスタミン剤を含有し、注射デバイス１００の第３のチャンバ１１２ｃは、疼痛対策薬剤を含有し、注射デバイス１００の第４のチャンバ１１２ｄは、エピネフリンの別の用量（余分の用量）が予め装填され得る。この実装において、注射デバイス１００のチャンバ１１２内の薬剤の各々は、同じ健康異常、すなわちアレルギー反応の処置に関する。複数薬剤を含む１つの注射デバイス１００を用意することは、迅速な作用／短時間（エピネフリン）から、中間作用／中間の時間（抗ヒスタミン剤）、最も長い開始作用／最も長い有効時間（コルチコステロイド）までの様々な抗アレルギー治療（つまり、アナフィラキシーに対する）を提供することができる。この構成は、重いアレルギー反応の異なる態様を処置するための適切な異なる薬剤を単一デバイスにおいて一緒に位置付ける。したがって、この例において、アドレナリンは、反応開始後、即座に投与され、抗ヒスタミン剤は、患者の初期安定後に投与され、コルチコステロイドは、専門的な医療を受けるまでに長い遅れがある場合に投与され得る。
【００３０】
チャンバ１１２の内容物は、患者に同時投与されてもよいか、または順次投与されてもよい。この順次投与は、矢継ぎ早であってもよいか、または遅らされてもよい。順次投与が遅らされる場合、後続の薬剤は、先に投与された薬剤に対する患者の反応に基づいて投与され得る。
【００３１】
チャンバ１１２の内容物は、針によって筋肉内、皮下、または静脈内に投与され得る。チャンバ１１２の内容物は、注射または点滴を通して投与され得る。注射は、チャンバ１１２の薬剤のような内容物が血流に迅速に動かされることを可能にする。チャンバ１１２の内容物は、ステントへの結合により静脈内に投与され得る。内容物はまた、注射デバイスに結合される適当なチップ（図示されない）により鼻腔内にも投与され得る。
【００３２】
チャンバ１１２の２つ以上は、同じまたは異なる容量を有し得る。いくつかの実装において、１つ以上のチャンバ１１２の容量は、約１ｍＬ、約２ｍＬ、約５ｍＬ、約１０ｍＬ、約２０ｍＬ、約３０ｍＬ、約４０ｍＬ、約５０ｍＬ、約６０ｍＬ、約７０ｍＬ、約８０ｍＬ、約９０ｍＬ、約１００ｍＬ、約１１０ｍＬ、約１２０ｍＬ、約１３０ｍＬ、または約１４０ｍＬであり得る。他の実装において、１つ以上のチャンバ１１２の容量は、１ｍＬ以上、２ｍＬ以上、５ｍＬ以上、１０ｍＬ以上、２０ｍＬ以上、３０ｍＬ以上、４０ｍＬ以上、５０ｍＬ以上、６０ｍＬ以上、７０ｍＬ以上、８０ｍＬ以上、９０ｍＬ以上、１００ｍＬ以上、１１０ｍＬ以上、１２０ｍＬ以上、１３０ｍＬ以上、１４０ｍＬ以上であり得る。更なる実装において、１つ以上のチャンバ１１２の容量は、１ｍＬ以下、２ｍＬ以下、５ｍＬ以下、１０ｍＬ以下、２０ｍＬ以下、３０ｍＬ以下、４０ｍＬ以下、５０ｍＬ以下、６０ｍＬ以下、７０ｍＬ以下、８０ｍＬ以下、９０ｍＬ以下、１００ｍＬ以下、１１０ｍＬ以下、１２０ｍＬ以下、１３０ｍＬ以下、または１４０ｍＬ以下であり得る。容量は、特定の健康異常を処置するために適切な既知の薬剤の容量に基づいて選択され得る。
【００３３】
実施形態に従って、出口体１２２は、チャンバ１１２の遠位端１１８に接続される。実施形態に従って、出口体１２２は、チャンバ１１２に直接接触する固定体１２４、及び固定体１２４に移動自在に接続される、または接触する回転体１２６を含む。各チャンバ１１２の遠位端１１８は、例えば、スナップフィットまたはネジ込み接続（図示されない）を介して固定体１２４に結合され得る。他の実施形態において、注射デバイス１００は、チャンバ１１２の遠位端１１８が固定体１２４に融着されるように製造され得る。各チャンバ１１２の遠位端１１８は、図５に示されるように、各チャンバ１１２の遠位端１１８が開口部１２８ａ、１２８ｂ、１２８ｃ、．．．１２８ｎ（まとめて、及び互換的に１２８として参照する）と連通であるように、固定体１２４に接続され得る。
【００３４】
出口体１２２の回転体１２６は、回転体１２６の回転によって固定体１２４内の開口部１２８と整列され得る１つ以上の出口１３０を含み得る。ある特定の実施形態に従って、出口１３０は、図４Ｂに示されるように円孔の形状であってもよく、または図７に示されるようにスリットの形状であってもよい。もちろん、他の適切な形状が使用され得る。ある特定の実施形態に従って、各開口部１２８は、開口部１２８と出口１３０との間の密な接続を確保することを助けるために、開口部封止体１３２ａ、１３２ｂ、１３２ｃ、．．．１３２ｎ（まとめて、及び互換的に１３２として参照される）によって囲まれ得る。これらの図６及び７に示されるような、他の実施形態において、出口１３０が、開口部１２８と出口１３０との間の密な接続を確保するために出口封止体１３４によって囲まれてもよい。出口１３０は、皮下注射針のような中空針に接続される孔であり得る。いくつかの実装において、出口１３０は、テーパー付きコネクタまたはロックコネクタのようなコネクタ１３６を含み得る。コネクタ１３６は、チャンバ１１２とコネクタ１３６の他端に結合される品物（例えば、皮下注射針または管のような）との間の液密封止を形成する。このようなコネクタ１３６の例としては、ルアーテーパーコネクタ、ルアーロックコネクタ、及びルアースリップコネクタを含む。コネクタ１３６の他端は、対応する（例えば、雌の）コネクタを含む針に結合され得る。これに代えて、コネクタ１３６の他端は、カテーテルまたはステントに結合されてもよい。
【００３５】
いくつかの実装において、複数チャンバ１１２によって共有される単一出口１３０があってもよい。薬剤を含み得るチャンバ１１２は、注射デバイス１００の一部分（例えば、回転体１２６）を回転またはスライドすることによって出口１３０と連通する、または接触するようになり得る。回転は、チャンバ１１２の遠位端１１８に配置された固定体１２４に対して回転体１２６を動かすことによって達せられ得る。起動は、タオルを絞るように、利用者が２つの位置において注射デバイス１００を把持し注射デバイス１００を異なる方向にひねることで行われ得る。いくつかの実装において、内容物を排出するチャンバ１１２の選択は、バネまたは複雑で潜在的に誤動作し易い機構デバイスを必要としない、この簡素な機構によって行われ得る。例えば、４つのチャンバ１１２を含む注射デバイス１００は、単一出口１３０または針（図示されない）が４つのチャンバ１１２の１つと整列されるように回転され得る。他の３つのチャンバ１１２は、これらのチャンバ１１２の遠位端１１８を塞ぐ回転体１２６によって、その内容物を排出することを阻止され得る。チャンバ１１２の各々もまた、独立したプランジャ１０２に関連付けられ得る。したがって、出口１３０が４つのチャンバ１１２の各々と順番に整列されるようにデバイスの一部分が回転され、それぞれのチャンバ１１２の内容物が分注され得る。
【００３６】
注射デバイス１００のチャンバ１１２は、別個に形成され、ハウジング、クリップ、または他の機構を通して互いに関連付けられ得る。これに代えて、複数チャンバ１１２は、単一片材料（例えば、プラスチック、ガラス、鉄等）から形成されてもよい。２つのチャンバ１１２が、２つの円筒管を含む単一片材料として形成されてもよい。同様に、３つのチャンバ１１２が、その中に３つの円筒管を有する略三角形構成で形成されてもよい。図４Ａに示されるように、チャンバ１１２は、円形構成であってもよい。例えば、６つのチャンバを含む注射デバイス１００は、回転式拳銃のシリンダの外観と同様、中心軸を中心とする円に配列される６つのシリンダを含む単一片材料から形成されるチャンバ１１２を有し得る。
【００３７】
集合チャンバ１１２は、共有出口１３０（例えば、回転式孔またはスロット）、またはその専用の出口１３０を有する各チャンバ１１２と使用され得る。各チャンバ１１２がその専用の出口１３０を有する構成において、針のような、出口１３０へのアタッチメントが、容易で干渉がない運動を可能にする構成において位置付けられ得る。
【００３８】
図６に示されるように、いくつかの実施形態において、注射デバイス１００は、プランジャ安全ロック１３８ａ、１３８ｂ、．．．１３８ｎ（まとめて、及び互換的に１３８として参照される）を含み、各チャンバ１１２に対して各プランジャ１０２ａ、１０２ｂ、．．．１０２ｎが、それぞれ、押し下げられることを阻止し、したがってチャンバ１１２（複数可）の任意の内容物の時期尚早な排出を阻止する。実施形態に従って、プランジャ安全ロック１３８は、例えば、スナップの取り外しによって取り外される。
【００３９】
図７は、スリットとして形成された出口１３０を示す。図７はまた、この例の実施形態において４つのプランジャ１０２の各々に適用されるプランジャ安全ロック１３８の別の視点を提供する。窪みまたは孔１４０が、注射デバイス１００の中心軸を中心とする回転を容易化するために、回転体１２６の中心またはその近くに位置付けられ得る。
【００４０】
本明細書に開示される実施形態は、本明細書に開示される注射デバイスを作製及び使用する方法を含む。注射デバイスのシリンジは、任意の適切な材料を使用して形成され得る。シリンジは、一緒に融着されてもよく、または単一片材料から形成されてもよい。いくつかの実施形態において、シリンジは、独立して形成され、その後、連結機構により連結され得る。
【００４１】
消毒薬ワイプまたは包帯のような医療用品は、注射デバイスの格納区画内に装填され得る。いくつかの実施形態において、蓋または他の封止体が、格納区画の開口部を覆うために使用され得る。消毒薬ワイプまたはスポンジは、例えば、主薬剤の投与前後に注射部位を清潔にするために使用され得る。いくつかの実施形態において、方法は、注射デバイスの１つ以上のチャンバ内に主薬剤を装填することを含む。他の実施形態において、主薬剤は、注射デバイスの１つ以上のチャンバ内に予め装填される。いくつかの実施形態において、出口体及び／またはコネクタが、使用前に薬剤チャンバの遠位端に取り付けられ得る。第１のプランジャが、主薬剤を分注するために、その後、押し下げられ得る。
【００４２】
主薬剤の投与前後に、補助薬剤または補足的な薬剤が注射され、またはさもなければ投与される。いくつかの実施形態において、補助薬剤または補足的な薬剤は、注射デバイスによる投与（筋肉内注射、静脈注射、鼻腔内投与等のような）に対して適切な製剤形態である。このような実施形態において、補助薬剤または補足的な薬剤は、利用者によって注射デバイスの１つ以上のチャンバ内に装填され得る。他の実施形態において、補助薬剤または補足的な薬剤は、使用前に注射デバイスの１つ以上のチャンバ内に予め装填され得る。種々の実施形態において、利用者は、プランジャに力を働かせる前に、適当なチャンバを出口に接触させるように回転体を固定体に対して回転することによって、所望の薬剤を選択する。例えば、いくつかの実施形態において、主薬剤が第１のチャンバから投与された後、第２の出口が、注射デバイスの回転体を回転することによって選択され得る。第２のプランジャは、その後、この例において、さらに注射される補助薬剤を分注するために押し下げられ得る。
【００４３】
シリンジ間の連結機構が、シリンジが互いに対して長手方向に回転することを可能にする他の実施形態において、利用者は、１つのみの薬剤が一度に注射されるように、シリンジを互いに対して長手方向に回転することによって所望の薬剤を選択し得る。更なる実施形態において、注射デバイスは、２つ以上の薬剤を同時またはほぼ同時に投与するように構成され得る。このような実施形態において、利用者は、複数薬剤を同時に投与し得る。
【００４４】
いくつかの実施形態において、包帯またはガーゼのような医療用品が、格納区画に格納され得る。このような実施形態において、包帯またはガーゼは、格納区画から取り出されて使用される。
【００４５】
いくつかの実施形態において、補助薬剤または補足的な薬剤は、錠剤またはカプセルのような経口投与に適した形態であり、注射デバイスの格納区画内に格納され得る。いくつかの実施形態において、補助薬剤または補足的な薬剤は、注射デバイスの格納区画内に予め装填され得る。他の実施形態において、補助薬剤または補足的な薬剤は、利用者によって注射デバイスの格納区画内に装填され得る。いくつかの実施形態において、蓋または他の封止体が、格納区画の開口部を覆うために使用され得る。例えば、経口投与用に製剤された補足的な薬剤を含有するカプセルは、格納区画から取り出され投与され得る。
【００４６】
本明細書に開示される実施形態において、注射デバイスは、使用及び／または格納の説明書と提供され得る。いくつかの実施形態において、説明書は、文書の説明書（例えば、一連の番号付きステップ）及び／または図解の説明書（例えば、漫画、線図、図形等）の形式であり得る。種々の実施形態において、説明書は、紙面上で注射デバイスと提供される方法、注射デバイスに取り付けられた、もしくは注射デバイスに関連する包装に取り付けられた１つのステッカーまたは複数のステッカー上で提供される方法、注射デバイスに関連する包装に印刷される方法、あるいは利用者に情報を十分に提供することになる任意の他の方法であり得る。いくつかの実施形態において、このような説明書を含有するウェブページまたはアプリケーションに利用者を導く、ウェブアドレスまたはＱＲコードのようなスキャン可能なコードが、紙面上で注射デバイスと提供されるように、注射デバイスに取り付けられた、もしくは注射デバイスに関連する包装に取り付けられた１つのステッカーまたは複数のステッカー上で提供されるように、あるいは注射デバイスに関連する包装に印刷されるように、注射デバイス上に、または注射デバイスと提供され得る。いくつかの実施形態において、説明映像、動画等もまた提供され得る。
【００４７】
特定の実施形態において、使用のための説明書は、実施形態と使用され得る薬剤及び用品の貯蔵寿命または使用期限に基づいて薬剤及び医療用品の交換を導き得る。説明書はまた、使用に際し、薬剤及び医療用品の交換を導き得る。末端利用者は、薬剤または医療用品交換サービスに加入し得る。これらの実施形態において、薬剤及び／または医療用品は、要求に際し及び／またはスケジュールに際して末端利用者に送られ得る。説明書はまた、末端利用者が本明細書に開示される実施形態を使用するときの体験に関するフィードバックを提供することを要求し得る。説明された説明書及びフィードバックに対するリクエストは、紙面上、ＣＤ−ＲＯＭ、ウェブサイト、または末端利用者と通信する任意の他の適当な方法で提供され得る。
【００４８】
いくつかの実施形態において、１つ以上の視覚的表示が、紙面上で注射デバイスと提供されるように、注射デバイスに取り付けられた、もしくは注射デバイスに関連付けられた包装に取り付けられた１つのステッカーまたは複数のステッカー上で提供されるように、あるいは注射デバイスに関連付けられた包装に印刷されるように、本明細書に開示される注射デバイス上に、または注射デバイスと提供され得る。このような実施形態において、１つ以上の視覚的表示は、利用者、医療提供者、医療施設等に対し、注射デバイスの内容物、注射デバイスの薬剤チャンバの内容物、及び／または注射デバイスの格納区画の内容物のような、有用であり得る情報を示し得る。実施形態において、１つ以上の視覚的表示は、１回分の用量、使用期限、または利用者、医療提供者、医療施設等に対して有用であり得る任意の他の情報を示し得る。いくつかの実施形態において、１つ以上の視覚的表示は、バーコード、ＱＲコード等のようなコードを含み得る。このような実施形態において、コードは、注射デバイスを追跡するために、注射デバイスの内容物を追跡するために、注射デバイスの薬剤チャンバの内容物を追跡するために、注射デバイスの格納区画の内容物を追跡するために等において、利用者、医療提供者、医療施設等によって使用され得る。利用者、医療提供者、医療施設等は、例えば、棚卸目的のために注射デバイス及びその内容物を追跡することを望み得る。更なる実施形態において、コードは、注射デバイスの内容物、注射デバイスの薬剤チャンバの内容物、注射デバイスの格納区画の内容物等を確認するために、または列挙された注射デバイスの内容物、注射デバイスの薬剤チャンバの内容物、注射デバイスの格納区画の内容物等を追跡システムにおいて更新するために使用され得る。
【００４９】
本明細書に開示される注射システムの特定の実施形態は、治療的有効量の薬剤と提供される。本明細書に開示される注射システムのより特定の実施形態は、アレルギー、アナフィラキシー、または心臓の異常を処置する治療的有効量の薬剤と提供される。
【００５０】
治療的有効量は、予防的処置及び／または治療的処置を提供するものを含む。
【００５１】
「予防的処置」は、処置が、少しでも発現する、またはさらに発現する健康異常のリスクを逓減する、予防する、または減少させる目的に対して施されるように、まだ健康異常の兆候または症状が表れていないが、それを発現することが予期される人もしくは動物に投与される処置、または健康異常の発現に対する早期の兆候もしくは前兆となる症状のみを表す人または動物に施される処置を含む。したがって、予防的処置は、健康異常に対する予防処置として機能する。
【００５２】
「治療的処置」は、健康異常の負の影響を低減、制御、排除する目的のために健康異常を体験している人または動物に施される処置を含む。
【００５３】
本明細書に開示される注射システムにより処置され得る健康異常の一例は、アレルギー反応である。アレルギー反応は、アレルギー性鼻炎、ぜんそく、アトピー性皮膚炎、食物アレルギー、アナフィラキシー、及びショックを含む。アナフィラキシー及びショックは、アレルギー反応の最も重い形式であり、未処置の場合、死に至り得る。これらの障害の全ては、ある程度まで、炎症性細胞の活性化がヒスタミン、血小板活性化因子（ＰＡＦ）、サイトカイン、及びタンパク質分解酵素のような血管作動性伝達物質の放出を即座にもたらす即時型過敏反応によって伝達される。
【００５４】
アレルギー反応の症状は、腹痛、せき、けいれん、下痢、めまい、湿疹、失神、じんましん、口、のど、及び／もしくは皮膚のかゆみ、意識朦朧、鼻づまり、吐き気、発疹、のどの閉塞、口、のど、及び／もしくは皮膚の刺痛、息切れ、唇、舌、及び／もしくは皮膚の腫れ、呼吸困難、嘔吐、虚脈、ならびに／または喘鳴を含む。アレルギー反応に関する治療的有効量は、アレルギー反応のこれらの症状の１つ以上を予防、低減、制御、または排除する。
【００５５】
本明細書に開示される注射システムによりアレルギー反応を処置するために使用され得る例示的な薬剤は、抗ヒスタミン剤（例えば、ＡＬＬＥＧＲＡ（登録商標）（Ａｖｅｎｔｉｓｕｂ  ＩＩ  Ｉｎｃ．，Ｇｒｅｅｎｖｉｌｌｅ，ＤＥ）、ＡＳＴＥＬＩＮ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＢＥＮＡＤＲＹＬ（登録商標）（Ｗａｒｎｅｒ−Ｌａｍｂｅｒｔ  Ｃｏｍｐａｎｙ  ＬＬＣ，Ｍｏｒｒｉｓ  Ｐｌａｉｎｓ，ＮＪ）、ＣＨＬＯＲ−ＴＲＩＭＥＴＯＮ（登録商標）（ＭＳＤ  Ｃｏｎｓｕｍｅｒ  Ｃａｒｅ，Ｉｎｃ．，Ｍｅｍｐｈｉｓ，ＴＮ）、ＣＬＡＲＩＮＥＸ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＣＬＡＲＩＴＩＮ（登録商標）（ＭＳＤ  Ｃｏｎｓｕｍｅｒ  Ｃａｒｅ，Ｉｎｃ．，Ｍｅｍｐｈｉｓ，ＴＮ）、ＤＩＭＥＴＡＮＥ（登録商標）（Ｃｉｔｒｏｎ  Ｐｈａｒｍａ  ＬＬＣ，Ｅａｓｔ  Ｂｒｕｎｓｗｉｃｋ，ＮＪ）、ＥＬＥＳＴＡＴ（登録商標）（Ｂｏｅｈｒｉｎｇｅｒ  Ｉｎｇｅｌｈｅｉｍ  Ｉｎｔｅｒｎａｔｉｏｎａｌ  ＧＭＢＨ，Ｇｅｒｍａｎｙ）、マレイン酸フェニラミン（ＯＣＵ−ＨＩＳＴ（商標），Ｐｆｉｚｅｒ，Ｉｎｃ．，Ｎｅｗ  Ｙｏｒｋ，ＮＹ）、ＯＰＴＩＶＡＲ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＰＡＴＡＮＯＬ（登録商標）（Ａｌｃｏｎ  Ｒｅｓｅａｒｃｈ，Ｌｔｄ．，Ｆｏｒｔ  Ｗｏｒｔｈ，Ｔｘ）、ＴＡＶＩＳＴ（商標），ＸＹＺＡＬ（商標），ＺＹＲＴＥＣ（登録商標）（Ｊｏｈｎｓｏｎ＆Ｊｏｈｎｓｏｎ  Ｃｏｒｐ．，Ｎｅｗ  Ｂｒｕｎｓｗｉｃｋ，ＮＪ））と、うっ血除去薬（例えば、ＡＦＲＩＮ（登録商標）（ＭＳＤ  Ｃｏｎｓｕｍｅｒ  Ｃａｒｅ，Ｉｎｃ．，Ｍｅｍｐｈｉｓ，ＴＮ）、ＳＵＤＡＦＥＤ（登録商標）（Ｊｏｈｎｓｏｎ＆Ｊｏｈｎｓｏｎ  Ｃｏｒｐｏｒａｔｉｏｎ，Ｎｅｗ  Ｂｒｕｎｓｗｉｃｋ，ＮＪ）、ＮＥＯ−ＳＹＮＥＰＨＲＩＮＥ（登録商標）（Ｆｏｕｎｄａｔｉｏｎ  Ｃｏｎｓｕｍｅｒ  Ｈｅａｌｔｈｃａｒｅ，ＬＬＣ，Ｄｏｖｅｒ，ＤＥ）と、配合アレルギー薬剤（例えば、ＡＬＬＥＧＲＡ−Ｄ（登録商標）（Ａｖｅｎｔｉｓｕｂ  ＩＩ  Ｉｎｃ．，Ｇｒｅｅｎｖｉｌｌｅ，ＤＥ）、ＢＥＮＡＤＲＹＬ  ＡＬＬＥＲＧＹ  ＡＮＤ  ＳＩＮＵＳ（Ｗａｒｎｅｒ−Ｌａｍｂｅｒｔ  Ｃｏｍｐａｎｙ  ＬＬＣ，Ｍｏｒｒｉｓ  Ｐｌａｉｎｓ，ＮＪ）、ＣＬＡＲＩＴＩＮ−Ｄ（登録商標）（ＭＳＤ  Ｃｏｎｓｕｍｅｒ  Ｃａｒｅ，Ｉｎｃ．，Ｍｅｍｐｈｉｓ，ＴＮ）、ＤＹＭＩＳＴＡ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＮＡＰＨＣＯＮ（登録商標）（Ａｌｃｏｎ  Ｒｅｓｅａｒｃｈ，Ｌｔｄ．，Ｆｏｒｔ  Ｗｏｒｔｈ，ＴＸ）、ＯＰＴＩＶＡＲ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＰＡＴＡＮＯＬ（登録商標）（Ａｌｃｏｎ  Ｒｅｓｅａｒｃｈ，Ｌｔｄ．Ｆｏｒｔ  Ｗｏｒｔｈ，ＴＸ）、ＳＥＭＰＲＥＸ−Ｄ（登録商標）（Ａｃｔｉｅｎｔ  Ｐｈａｒｍａｃｅｕｔｉｃａｌｓ  ＬＬＣ，Ｃｈｅｓｔｅｒｂｒｏｏｋ，Ｐｎ）、ＴＹＬＥＮＯＬ  ＡＬＬＥＲＧＹ  ���ＮＤ  ＳＩＮＵＳ（登録商標）（Ｊｏｈｎｓｏｎ＆Ｊｏｈｎｓｏｎ，Ｎｅｗ  Ｂｒｕｎｓｗｉｃｋ，ＮＪ）、ＶＡＳＯＣＯＮ（登録商標）（Ｎｏｖａｒｔｉｓ  Ａｇ，Ｂａｓｅｌ  Ｓｗｉｔｚｅｒｌａｎｄ）、ＺＡＤＩＴＯＲ（登録商標）（Ｎｏｖａｒｔｉｓ  Ａｇ，Ｂａｓｅｌ，Ｓｗｉｔｚｅｒｌａｎｄ）、ＺＹＲＴＥＣ−Ｄ（商標））と、ステロイド（例えば、コルチコステロイド、ＡＤＶＡＩＲ（登録商標）（Ｇｌａｘｏ  Ｇｒｏｕｐ，Ｍｉｄｄｌｅｓｅｘ，ＵＫ）、ＡＥＲＯＢＩＤ（登録商標）（Ｆｏｒｅｓｔ  Ｌａｂｏｒａｔｏｒｉｅｓ，Ｉｎｃ．，Ｎｅｗ  Ｙｏｒｋ，ＮＹ）、ＡＬＲＥＸ（登録商標）（Ｂａｕｓｃｈ＆Ｌｏｍｂ  Ｉｎｃ．，Ｒｏｃｈｅｓｔｅｒ，ＮＹ）、ＡＬＶＥＳＣＯ（登録商標）（Ｔａｋｅｄａ  ＧＭＢＨ，Ｇｅｒｍａｎｙ）、ＡＳＭＡＮＥＸ（登録商標）（Ｍｅｒｃｋ  Ｓｈａｒｐ＆Ｄｏｈｍｅ，Ｗｈｉｔｅｈｏｕｓｅ  Ｓｔａｔｉｏｎ，ＮＪ）、ＡＺＭＡＣＯＲＴ（登録商標）（Ａｂｂｖｉｅ  Ｒｅｓｐｉｒａｔｏｒｙ  ＬＬＣ，Ｃｈｉｃａｇｏ，ＩＬ）、ＢＥＣＯＮＡＳＥ（登録商標）（Ｇｌａｘｏ  Ｇｒｏｕｐ，Ｍｉｄｄｌｅｓｅｘ，ＵＫ）、ＤＥＬＴＡＳＯＮＥ（登録商標）（Ｓｐａｃｅ  Ａｇｅ  Ｈｏｌｄｉｎｇｓ  ＬＬＣ，Ｖｉｅｊｏ，ＣＡ）、デキサメタゾン、ＦＬＯＮＡＳＥ（登録商標）（Ｇｌａｘｏ  Ｇｒｏｕｐ，Ｍｉｄｄｌｅｓｅｘ，ＵＫ）、ＦＬＯＶＥＮＴ（登録商標）（Ｇｌａｘｏ  Ｇｒｏｕｐ，Ｍｉｄｄｌｅｓｅｘ，ＵＫ）、フルチカゾン、ＮＡＳＯＣＯＲＴ（商標）、ＮＡＳＯＮＥＸ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、プレドニゾン、ＰＵＬＭＩＣＯＲＴ（登録商標）（Ａｓｔｒａｚｅｎｅｃａ  ＡＢ，Ｓｏｄｅｒｔａｌｊｅ，Ｓｗｅｄｅｎ）、ＱＮＡＳＬ（登録商標）（Ｔｅｖａ  Ｒｅｓｐｉｒａｔｏｒｙ，ＬＬＣ，Ｈｏｒｓｈａｍ，Ｐｎ）、ベクロメタゾンジプロピオネート（Ｑ−ＶＡＲ（登録商標）（Ｉｖａｙ，ＬＬＣ，Ｈｏｒｓｈａｍ，ＰＡ））、ＲＨＩＮＯＣＯＲＴ（登録商標）（Ａｓｔｒａ  Ａｋｔｉｅｂｏｌａｇ  Ｃｏｒｐ．，Ｓｏｄｅｒｔａｌｊｅ，Ｓｗｅｄｅｎ）、ＳＹＭＢＩＣＯＲＴ（登録商標）（Ａｓｔｒａｚｅｎｅｃａ  ＡＢ，Ｓｏｄｅｒｔａｌｊｅ，Ｓｗｅｄｅｎ）、ＶＥＲＡＭＹＳＴ（登録商標）（Ｇｌａｘｏ  Ｇｒｏｕｐ  Ｍｉｄｄｌｅｓｅｘ，ＵＫ）、ＺＥＴＯＮＮＡ（登録商標）（Ｔａｋｅｄａ  ＧＭＢＨ  Ｃｏｒｐｏｒａｔｉｏｎ，Ｇｅｒｍａｎｙ））と、気管支拡張剤（例えば、ＭＡＸＡＩＲ（登録商標）（Ｍｅｄｉｃｉｓ  Ｐｈａｒｍａｃｅｕｔｉｃａｌ  Ｃｏｒｐｏｒａｔｉｏｎ，Ｓｃｏｔｔｓｄａｌｅ，ＡＺ）、ＰＲＯＶＥＮＴＩＬ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＰＲＯ−ＡＩＲ（商標）、ＶＥＮＴＯＬＩＮ（登録商標）（Ｇｌａｘｏ  Ｇｒｏｕｐ，Ｍｉｄｄｌｅｓｅｘ，ＵＫ）、ＸＯＰＥＮＥＸ（登録商標）（Ｓｕｎｏｖｉｏｎ  Ｐｈａｒｍａｃｅｕｔｉｃａｌｓ  Ｉｎｃ．，Ｍａｒｌｂｏｒｏｕｇｈ，ＭＡ））と、肥満細胞安定化薬（例えば、ＡＬＡＭＡＳＴ（登録商標）（Ｓａｎｔｅｎ  Ｐｈａｒｍａｃｅｕｔｉｃａｌ  Ｃｏ．，Ｌｔｄ．，Ｏｓａｋａ，Ｊａｐａｎ���、ＡＬＯＣＲＩＬ（登録商標）（Ａｌｌｅｒｇａｎ，Ｉｎｃ．，Ｉｒｖｉｎｅ，ＣＡ）、ＡＬＯＭＩＤＥ（登録商標）（Ａｌｃｏｎ  Ｒｅｓｅａｒｃｈ，Ｌｔｄ，Ｆｏｒｔ  Ｗｏｒｔｈ，ＴＸ）、ＣＲＯＬＯＭ（登録商標）（Ｂａｕｓｃｈ＆Ｌｏｍｂ  Ｉｎｃ．，Ｒｏｃｈｅｓｔｅｒ，ＮＹ）、ＩＮＴＡＬ（登録商標）（Ｆｅｒａ  Ｐｈａｒｍａｃｅｕｔｉｃａｌｓ，ＬＬＣ，Ｌｏｃｕｓｔ  Ｖａｌｌｅｙ，ＮＹ）、ＮＡＳＡＬＣＲＯＭ（登録商標）（Ｐｈａｒｍａｃｉａ＆Ｕｐｊｏｈｎ  Ｃｏ．，Ｉｒｖｉｎｇｔｏｎ，ＮＹ）、クロモグリク酸ナトリウム（ＯＰＴＩＣＲＯＭ（商標）  Ａｄｖｅｎｔｉｓ  Ｐｈａｒｍａ，Ｌｔｄ．，Ｓｕｒｒｅｙ，ＵＫ）、ＴＩＬＡＤＥ（登録商標）（Ｋｉｎｇ  Ｐｈａｒｍａｃｅｕｔｉｃａｌｓ，Ｉｎｃ．，Ｂｒｉｓｔｏｌ，ＴＮ））と、ロイコトリエン阻害剤（例えば、ＡＣＣＯＬＡＴＥ（登録商標）（Ｐａｒ  Ｐｈａｒｍａｃｅｕｔｉｃａｌ，Ｉｎｃ．Ｓｐｒｉｎｇ  Ｖａｌｌｅｙ，ＮＹ）（ザフィルルカスト）、ＳＩＮＧＵＬＡＩＲ（登録商標）（Ｍｅｒｃｋ  Ｓｈａｒｐ＆Ｄｏｈｍｅ  Ｃｏｒｐ．Ｗｈｉｔｅｈｏｕｓｅ  Ｓｔａｔｉｏｎ，ＮＪ）（モンテルカスト）、ＺＹＦＬＯ（登録商標）（Ｃｈｉｅｓｉ  Ｕｓａ，Ｉｎｃ．Ｃａｒｙ，ＮＣ）（ジレウトン））と、免疫療法（例えば、アレルギーショット、ＧＲＡＳＴＥＫ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＯＲＡＬＡＩＲ（登録商標）（Ｓｔａｌｌｅｒｇｅｎｅｓ  ＳＡ，Ａｎｔｏｎｙ，Ｆｒａｎｃｅ）、ＲＡＧＷＩＴＥＫ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ））と、を含む。アナフィラキシーに関して以下に説明される薬剤もまた、アレルギーを処置するために使用され得る。
【００５６】
アナフィラキシーは、致命的な気道、呼吸、または循環系の問題を急激に起こされることに特徴付けられる、重い、潜在的に致命的な全身の過敏症反応を意味する。それは、通常、皮膚及び粘膜の変化に関連する。
【００５７】
アナフィラキシーを診断する臨床基準は、以下の３つの基準のうちの任意の１つの存在であって、（１）皮膚、粘膜組織、もしくは両方の合併症を含む疾病の急性発症（数分〜数時間）、ならびに以下のうちの１つもしくは両方であって、（ａ）呼吸困難、及び（ｂ）低下した血圧または終末器官機能不全（例えば、低血圧、気絶、失禁）の症状を伴うもの、（２）アレルギー源になり易いものにさらされた後に急に起こる以下のうちの２つ以上であって、（ａ）皮膚または筋肉組織合併症（例えば、全身のじんましん、かゆみ紅潮、腫れた唇、舌、または口蓋垂）、（ｂ）呼吸困難、（ｃ）低下した血圧または終末器官機能不全の症状を伴うもの、及び（ｄ）持続性の胃腸症状（例えば、腹痛、嘔吐）、あるいは（３）既知のアレルギー源にさらされた後の低下した血圧（数分〜数時間）、（ａ）幼児もしくは子供で、低い収縮期血圧（年齢特有）もしくは収縮期血圧において３０％超の低下、または（ｂ）成人で、９０ｍｍＨｇ未満の収縮期血圧もしくは基準線から３０％超の低下、の存在を含む。アナフィラキシー反応に関する治療的有効量は、アナフィラキシー反応のこれらの症状の１つ以上を予防、低減、制御、または排除する。
【００５８】
本明細書に開示される注射システムによりアナフィラキシー反応を処置するために使用され得る例示的な薬剤は、アドレナリン、短時間作用性β２アドレナリン刺激薬（特定の実施形態において、吸引される）、Ｈ１−Ｈ４抗ヒスタミン剤（特定の実施形態において、経口投与される）、コルチコステロイド、グルココルチコステロイド（特定の実施形態において、全身性または噴霧される）、及びグルカゴンを含む。本明細書に開示される注射システムによりアナフィラキシー反応を処置するために使用され得る追加の例示的な薬剤は、Ｈ１抗ヒスタミン剤（例えば、アクリバスチン、アゼラスチン、ビラスチン、ブロムフェニラミン、ブクリジン、ブロモジフェンヒドラミン、カルビノキサミン、セチリジン（ＺＹＲＴＥＣ（登録商標）（Ｊｏｈｎｓｏｎ＆Ｊｏｈｎｓｏｎ  Ｃｏｒｐ．，Ｎｅｗ  Ｂｒｕｎｓｗｉｃｋ，ＮＪ））、クロルプロマジン、シクリジン、クロルフェニラミン、クロロジフェンヒドラミン、クレマスチン、シプロヘプタジン、デスロラタジン、デキスブロムフェニルアミン、デキスクロルフェニルアミン、ジメンヒドリナート、ジメチンデン、ジフェンヒドラミン（ＢＥＮＡＤＲＹＬ（登録商標）（Ｗａｒｎｅｒ−Ｌａｍｂｅｒｔ  Ｃｏｍｐａｎｙ  ＬＬＣ，Ｍｏｒｒｉｓ  Ｐｌａｉｎｓ，ＮＪ）、ドキシラミン、エバスチン、エンブラミン、フェキソフェナジン（ＡＬＬＥＧＲＡ（登録商標）（Ａｖｅｎｔｉｓｕｂ  ＩＩ  Ｉｎｃ．Ｇｒｅｅｎｖｉｌｌｅ，ＤＥ））、ヒドロキシジン、（ＶＩＳＴＡＲＩＬ（登録商標）（Ｐｆｉｚｅｒ，Ｉｎｃ．，ＮＹ，ＮＹ））、レボセチリジン、ロラタジン（ＣＬＡＲＩＴＩＮ（登録商標）（ＭＳＤ  Ｃｏｎｓｕｍｅｒ  Ｃａｒｅ，Ｉｎｃ．，Ｍｅｍｐｈｉｓ，ＴＮ）、メクロジン、ミルタザピン、オロパタジン、オルフェナドリン、フェニンダミン、フェニラミン、フェニルトロキサミン、プロメタジン、ピリラミン、クエチアピン（ＳＥＲＯＱＵＥＬ（登録商標）（Ａｓｔｒａｚｅｎｅｃａ  ＵＫ，Ｌｏｎｄｏｎ，Ｅｎｇｌａｎｄ））、ルパタジン、トリペレンナミン、トリプロリジン）、Ｈ２抗ヒスタミン剤（例えば、シメチジン、ファモチジン、ラフチジン、ニザチジン、ラニチジン、ロキサチジン、チオチジン）、Ｈ３抗ヒスタミン剤（例えば、クロベンプロピット、ＡＢＴ−２３９、シプロキシファン、コネッシン、Ａ−３４９，８２１、チオペラミド）、Ｈ４抗ヒスタミン剤（例えば、チオペラミド、ＪＮＪ  ７７７７１２０、ＶＵＦ−６００２）、非定型抗ヒスタミン剤（例えば、カテキン、トリトクアリン）、及び肥満細胞安定化薬（例えば、ＡＬＡＭＡＳＴ（登録商標）（Ｓａｎｔｅｎ  Ｐｈａｒｍａｃｅｕｔｉｃａｌ  Ｃｏ．，Ｏｓａｋａ，ｊａｐａｎ）、ＡＬＯＣＲＩＬ（登録商標）（Ａｌｌｅｒｇａｎ，Ｉｎｃ．，Ｉｒｖｉｎｅ，ＣＡ）、ＡＬＯＭＩＤＥ（登録商標）（Ａｌｃｏｎ  Ｒｅｓｅａｒｃｈ，Ｌｔｄ．，Ｆｏｒｔ  Ｗｏｒｔｈ，ＴＸ）、クロモグリク酸（クロモリン、ＣＲＯＬＯＭ（登録商標）（ＢＡＵＳＣＨ＆ＬＯＭＢ  ＩＮＣ，Ｒｏｃｈｅｓｔｅｒ，ＮＹ））、ＩＮＴＡＬ（登録商標）（Ｆｅｒａ  Ｐｈａｒｍａｃｅｕｔｉｃａｌｓ，ＬＬＣ，Ｌｏｃｕｓｔ  Ｖａｌｌｅｙ，ＮＹ）、ＮＡＳＡＬＣＲＯＭ（登録商標）（Ｐｈａｒｍａｃ���ａ＆Ｕｐｊｏｈｎ  Ｃｏ，Ｉｒｖｉｎｇｔｏｎ，ＮＨ）、ＮＥＤＯＣＲＯＭＩＬ（商標）、ＯＰＴＩＣＲＯＭ（商標）、ＴＩＬＡＤＥ（登録商標）（Ｋｉｎｇ  Ｐｈａｒｍａｃｅｕｔｉｃａｌｓ，Ｉｎｃ，Ｂｒｉｓｔｏｌ，ＴＮ））を含む。
【００５９】
以下の例示的な薬剤（及びそれらが表す化合物の種類における他のもの）が、前段において説明されたこれらの補助薬剤、余分の薬剤、または補足的な薬剤として追加的に提供可能であり、例示的な薬剤は、ＡＣＣＯＬＡＴＥ（登録商標）（Ｐａｒ  Ｐｈａｒｍａｃｅｕｔｉｃａｌ，Ｉｎｃ．Ｓｐｒｉｎｇ  Ｖａｌｌｅｙ，ＮＹ）（ザフィルルカスト）、ＡＤＶＡＩＲ（登録商標）（Ｇｌａｘｏ  Ｇｒｏｕｐ，Ｍｉｄｄｌｅｓｅｘ，ＵＫ）、ＡＦＲＩＮ（登録商標）（ＭＳＤ  Ｃｏｎｓｕｍｅｒ  Ｃａｒｅ，Ｉｎｃ．，Ｍｅｍｐｈｉｓ，ＴＮ）、ＡＥＲＯＢＩＤ（登録商標）（Ｆｏｒｅｓｔ  Ｌａｂｏｒａｔｏｒｉｅｓ，Ｉｎｃ．，Ｎｅｗ  Ｙｏｒｋ，ＮＹ）、ＡＬＬＥＧＲＡ（登録商標）（Ａｖｅｎｔｉｓｕｂ  ＩＩ  Ｉｎｃ．，Ｇｒｅｅｎｖｉｌｌｅ，ＤＥ）、ＡＬＲＥＸ（登録商標）（Ｂａｕｓｃｈ＆Ｌｏｍｂ  Ｉｎｃ．，Ｒｏｃｈｅｓｔｅｒ，ＮＹ）、ＡＬＶＥＳＣＯ（登録商標）（Ｔａｋｅｄａ  ＧＭＢＨ，Ｇｅｒｍａｎｙ）、ＡＳＭＡＮＥＸ（登録商標）（Ｍｅｒｃｋ  Ｓｈａｒｐ＆Ｄｏｈｍｅ，Ｗｈｉｔｅｈｏｕｓｅ  Ｓｔａｔｉｏｎ，ＮＪ）、ＡＳＴＥＬＩＮ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＡＺＭＡＣＯＲＴ（登録商標）（Ａｂｂｖｉｅ  Ｒｅｓｐｉｒａｔｏｒｙ  ＬＬＣ，Ｃｈｉｃａｇｏ，ＩＬ）、ＢＥＣＯＮＡＳＥ（登録商標）（Ｇｌａｘｏ  Ｇｒｏｕｐ，Ｍｉｄｄｌｅｓｅｘ，ＵＫ）、ＢＥＮＡＤＲＹＬ  ＡＬＬＥＲＧＹ  ＡＮＤ  ＳＩＮＵＳ（商標）、ＣＨＬＯＲ−ＴＲＩＭＥＴＯＮ（登録商標）（ＭＳＤ  Ｃｏｎｓｕｍｅｒ  Ｃａｒｅ，Ｉｎｃ．，Ｍｅｍｐｈｉｓ，ＴＮ）、ＣＬＡＲＩＮＥＸ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＣＬＡＲＩＴＩＮ−Ｄ（登録商標）（ＭＳＤ  Ｃｏｎｓｕｍｅｒ  Ｃａｒｅ，Ｉｎｃ．，Ｍｅｍｐｈｉｓ，ＴＮ）、ＤＥＬＴＡＳＯＮＥ（登録商標）（Ｓｐａｃｅ  Ａｇｅ  Ｈｏｌｄｉｎｇｓ  ＬＬＣ，Ｖｉｅｊｏ，ＣＡ）、デキサメタゾン、ＤＩＭＥＴＡＮＥ（登録商標）（Ｃｉｔｒｏｎ  Ｐｈａｒｍａ  ＬＬＣ，Ｅａｓｔ  Ｂｒｕｎｓｗｉｃｋ，ＮＪ）、ＤＹＭＩＳＴＡ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＥＬＥＳＴＡＴ（登録商標）（Ｂｏｅｈｒｉｎｇｅｒ  Ｉｎｇｅｌｈｅｉｍ  Ｉｎｔｅｒｎａｔｉｏｎａｌ  ＧＭＢＨ，Ｇｅｒｍａｎｙ）、ＦＬＯＮＡＳＥ（登録商標）（Ｇｌａｘｏ  Ｇｒｏｕｐ，Ｍｉｄｄｌｅｓｅｘ，ＵＫ）、ＦＬＯＶＥＮＴ（登録商標）（Ｇｌａｘｏ  Ｇｒｏｕｐ，Ｍｉｄｄｌｅｓｅｘ，ＵＫ）、ＦＬＵＴＩＣＡＳＯＮＥ（商標）、ＭＡＸＡＩＲ（登録商標）（Ｍｅｄｉｃｉｓ  Ｐｈａｒｍａｃｅｕｔｉｃａｌ  Ｃｏｒｐｏｒａｔｉｏｎ，Ｓｃｏｔｔｓｄａｌｅ，ＡＺ）、ＮＡＰＨＣＯＮ（登録商標）（Ａｌｃｏｎ  Ｒｅｓｅａｒｃｈ，Ｌｔｄ．，Ｆｏｒｔ  Ｗｏｒｔｈ，ＴＸ）、ＮＡＳＯＣＯＲＴ（商標）、ＮＡＳＯＮＥＸ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＮＥＯ−ＳＹＮＥＰＨＲＩＮＥ（登録商標）（Ｆｏｕｎｄａｔｉｏｎ  Ｃｏｎｓｕｍｅｒ  Ｈｅａｌｔｈｃａｒｅ，��ＬＣ，Ｄｏｖｅｒ，ＤＥ）、ＯＣＵ−ＨＩＳＴ（商標）、ＯＰＴＩＶＡＲ（登録商標）（Ｍｅｄａ  Ｐｈａｒｍａｃｅｕｔｉｃａｌｓ  Ｉｎｃ．，Ｓｏｍｅｒｓｅｔ，ＮＪ）、ＰＡＴＡＮＯＬ（登録商標）（Ａｌｃｏｎ  Ｒｅｓｅａｒｃｈ，Ｌｔｄ．，Ｆｏｒｔ  Ｗｏｒｔｈ，Ｔｘ）、プレドニゾン、ＰＲＯ−ＡＩＲ（商標）、ＰＲＯＶＥＮＴＩＬ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＰＵＬＭＩＣＯＲＴ（登録商標）（Ａｓｔｒａｚｅｎｅｃａ  ＡＢ，Ｓｏｄｅｒｔａｌｊｅ，Ｓｗｅｄｅｎ）、ＱＮＡＳＬ（登録商標）（Ｔｅｖａ  Ｒｅｓｐｉｒａｔｏｒｙ，ＬＬＣ，Ｈｏｒｓｈａｍ，ＰＮ）、Ｑ−ＶＡＲ（商標）、ＲＨＩＮＯＣＯＲＴ（登録商標）（Ａｓｔｒａ  Ａｋｔｉｅｂｏｌａｇ  Ｃｏｒｐ．，Ｓｏｄｅｒｔａｌｊｅ，Ｓｗｅｄｅｎ）、ＳＥＭＰＲＥＸ−Ｄ（登録商標）（Ａｃｔｉｅｎｔ  Ｐｈａｒｍａｃｅｕｔｉｃａｌｓ  ＬＬＣ，Ｃｈｅｓｔｅｒｂｒｏｏｋ，ＰＮ）、ＳＩＮＧＵＬＡＩＲ（登録商標）（Ｍｅｒｃｋ  Ｓｈａｒｐ＆Ｄｏｈｍｅ  Ｃｏｒｐ．Ｗｈｉｔｅｈｏｕｓｅ  Ｓｔａｔｉｏｎ，ＮＪ）（モンテルカスト）、ＳＵＤＡＦＥＤ（登録商標）（Ｊｏｈｎｓｏｎ＆Ｊｏｈｎｓｏｎ  Ｃｏｒｐｏｒａｔｉｏｎ，Ｎｅｗ  Ｂｒｕｎｓｗｉｃｋ，ＮＪ）、ＳＹＭＢＩＣＯＲＴ（登録商標）（Ａｓｔｒａｚｅｎｅｃａ  ＡＢ，Ｓｏｄｅｒｔａｌｊｅ，Ｓｗｅｄｅｎ）、ＴＡＶＩＳＴ（商標）、ＴＹＬＥＮＯＬ  ＡＬＬＥＲＧＹ  ＡＮＤ  ＳＩＮＵＳ（登録商標）（Ｊｏｈｎｓｏｎ＆Ｊｏｈｎｓｏｎ，Ｎｅｗ  Ｂｒｕｎｓｗｉｃｋ，ＮＪ）、ＶＡＳＯＣＯＮ（登録商標）（Ｎｏｖａｒｔｉｓ  Ａｇ，Ｂａｓｅｌ  Ｓｗｉｔｚｅｒｌａｎｄ）、ＶＥＮＴＯＬＩＮ（登録商標）（Ｇｌａｘｏ  Ｇｒｏｕｐ，Ｍｉｄｄｌｅｓｅｘ，ＵＫ）、ＶＥＲＡＭＹＳＴ（登録商標）（Ｇｌａｘｏ  Ｇｒｏｕｐ  Ｍｉｄｄｌｅｓｅｘ，ＵＫ）、ＸＯＰＥＮＥＸ（登録商標）（Ｓｕｎｏｖｉｏｎ  Ｐｈａｒｍａｃｅｕｔｉｃａｌｓ  Ｉｎｃ．，Ｍａｒｌｂｏｒｏｕｇｈ，ＭＡ）、ＸＹＺＡＬ（商標）、ＺＡＤＩＴＯＲ（登録商標）（Ｎｏｖａｒｔｉｓ  Ａｇ，Ｂａｓｅｌ，Ｓｗｉｔｚｅｒｌａｎｄ）、ＺＹＲＴＥＣ−Ｄ（商標）、ＺＥＴＯＮＮＡ（登録商標）（Ｔａｋｅｄａ  ＧＭＢＨ  Ｃｏｒｐｏｒａｔｉｏｎ，Ｇｅｒｍａｎｙ）、及びＺＹＦＬＯ（登録商標）（Ｃｈｉｅｓｉ  Ｕｓａ，Ｉｎｃ．Ｃａｒｙ，ＮＣ）（ジレウトン）である。
【００６０】
本明細書に開示される注射システムにより処置され得る健康異常の他の例は、不整脈、心臓発作または心停止のような心臓の異常である。心臓の異常の症状は、不安症、胸部不快感、胸部圧迫感もしくは胸部圧搾、めまい、疲労、食欲不振、意識朦朧、意識消失、吐き気、痛み（例えば、胸から始まり肩、腕、肘、背中、首、顎、または腹部に広がる）、持続的なせきもしくは喘鳴、速脈もしくは不整脈、呼吸困難、発汗（例えば、冷たい汗）、腫れ（しばしば、足、足首、脚部、または腹部における）、嘔吐、及び／または虚弱を含む。
【００６１】
心臓発作または心停止のような心臓の異常に関する治療的有効量は、心臓の異常のこれらの症状の１つ以上を予防、低減、制御、または排除し、症状をもたらす基礎疾患を対処する、及び／または異常の発現に続いて心筋機能を維持し得る。
【００６２】
本明細書に開示される注射システムにより心臓の異常を処置するために使用され得る例示的な薬剤は、アンジオテンシン変換酵素（ＡＣＥ）阻害薬（例えば、ベナゼプリル（ＬＯＴＥＮＳＩＮ（登録商標）（Ｎｏｖａｒｔｉｓ  Ｐｈａｒｍａｃｅｕｔｉｃａｌｓ  Ｃｏｒｐｏｒａｔｉｏｎ，Ｅａｓｔ  Ｈａｎｏｖｅｒ，ＮＪ）、カプトリル（ＣＡＰＯＴＥＮ（登録商標（Ｐｈａｒ  Ｐｈａｒｍａｃｅｕｔｉｃａｌ，Ｉｎｃ．，Ｗｏｏｄｃｌｉｆｆ  Ｌａｋｅ，ＮＪ））、エナラプリル（ＶＡＳＯＴＥＣ（登録商標）（Ｂｉｏｖａｉｌ  Ｌａｂｏｒａｔｏｒｉｅｓ  Ｉｎｔｌ．，Ｃｈｒｉｓｔ  Ｃｈｕｒｃｈ，Ｂａｒｂａｄｏｓ））、ホシノプリル（ＭＯＮＯＰＲＩＬ（登録商標）（Ｅ．Ｒ．Ｓｑｕｉｂｂ＆Ｓｏｎｓ，Ｌ．Ｌ．Ｃ．，Ｐｒｉｎｃｅｔｏｎ，ＮＪ））、リシノプリル（ＰＲＩＮＩＶＩＬ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ）、ＺＥＳＴＲＩＬ（登録商標）（Ａｌｖｏｇｅｎ  Ｐｈａｒｍａ  ＵＳ，ＩＮＣ．，Ｐｉｎｅ  Ｂｒｏｏｋ，ＮＪ））、モエキシプリル（ＵＮＩＶＡＳＣ（登録商標）（ＵＣＢ  Ｍｆｇ．，Ｉｎｃ．，Ｒｏｃｈｅｓｔｅｒ，ＮＹ））、ペリンドプリル（ＡＣＥＯＮ（登録商標）（Ｂｉｏｆａｒｍａ  Ｓｏｃｉｅｔｅ  Ｐａｒ  Ａｃｔｉｏｎｓ  Ｓｉｍｐｌｉｆｉｅｅ，Ｆｒａｎｃｅ））、キナプリル（ＡＣＣＵＰＲＩＬ（登録商標）（Ｗａｒｎｅｒ−Ｌａｍｂｅｒｔ  Ｃｏｍｐａｎｙ，Ｍｏｒｒｉｓ  Ｐｌａｉｎｓ，ＮＪ））、ラミプリル（ＡＬＴＡＣＥ（登録商標）（Ｋｉｎｇ  Ｐｈａｒｍａｃｅｕｔｉｃａｌｓ  Ｒｅｓｅａｒｃｈ  Ａｎｄ  Ｄｅｖｅｌｏｐｍｅｎｔ，Ｉｎｃ．，Ｃａｒｙ，ＮＣ））、トランドラプリル（ＭＡＶＩＫ（登録商標）（Ａｂｂｖｉｅ  Ｄｅｕｔｓｃｈｌａｎｄ  Ｇｍｂｈ＆Ｃｏ．，Ｇｅｒｍａｎｙ））と、アンジオテンシンＩＩ受容体遮断薬（例えば、カンデサルタン（ＡＴＡＣＡＮＤ（登録商標）（ＡｓｔｒａＺｅｎｅｃａ  ＡＢ，Ｓｏｄｅｒｔａｌｊｅ，Ｓｗｅｄｅｎ））、エプロサルタン（ＴＥＶＥＴＥＮ（登録商標）（Ａｂｂｖｉｅ  Ｒｅｓｐｉｒａｔｏｒｙ  ＬＬＣ，Ｃｈｉｃａｇｏ，ＩＬ））、イルベサルタン（ＡＶＡＰＲＯ（登録商標）（Ｓａｎｏｆｉ  Ｓｏｃｉｅｔｅ  Ａｎｏｎｙｍｅ，Ｐａｒｉｓ，Ｆｒａｎｃｅ））、ロサルタン（ＣＯＺＡＡＲ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ））、テルミサルタン（ＭＩＣＡＲＤＩＳ（登録商標）（Ｂｏｅｈｒｉｎｇｅｒ  Ｉｎｇｅｌｈｅｉｍ  ＫＧ，Ｇｅｒｍａｎｙ））及びバルサルタン（ＤＩＯＶＡＮ（登録商標）（Ｎｏｖａｒｔｉｓ  Ｃｏｒｐｏｒａｔｉｏｎ，Ｓｕｍｍｉｔ，ＮＪ）））と、抗不整脈薬（例えば、ＢＥＴＡＰＡＣＥ（登録商標）（Ｂａｙｅｒ  Ｐｈａｒｍａ  Ａｋｔｉｅｎｇｅｓｅｌｌｓｃｈａｆｔ，Ｇｅｒｍａｎｙ）（ＳＯＴＡＬＯＬ（商標）），ＣＯＲＤＡＲＯＮＥ（登録商標）（Ｓａｎｏｆｉ  Ｓｏｃｉｅｔｅ  Ａｎｏｎｙｍｅ，Ｐａｒｉｓ，Ｆｒａｎｃｅ）（アミオダロン）、リドカイン、ＰＲＯＣＡＮＢＩＤ（登録商標）（Ｐａｒｋｅｄａｌｅ  Ｐｈａｒｍａｃｅｕｔｉｃａｌｓ，Ｉｎｃ．，Ｒｏｃｈｅｓｔｅｒ，ＭＩ）（プロカインアミド���、ＴＡＭＢＯＣＯＲ（登録商標）（Ｍｅｄｉｃｉｓ  Ｐｈａｒｍａｃｅｕｔｉｃａｌ  Ｃｏｒｐ．，Ｓｃｏｔｔｓｄａｌｅ，ＡＺ）（フレカイニド））と、血液凝固阻止剤（例えば、ダルテパリン（ＦＲＡＧＭＩＮ（登録商標）（Ｐｆｉｚｅｒ  Ｈｅａｌｔｈ  ＡＢ，Ｓｔｏｃｋｈｏｌｍ，Ｓｗｅｄｅｎ））、ダナパロイド（ＯＲＧＡＲＡＮ（登録商標）（Ａｓｐｅｎ  Ｇｌｏｂａｌ  Ｉｎｃｏｒｐｏｒａｔｅｄ，Ｇｒａｎｄ  Ｂａｙ，Ｍａｕｒｉｔｉｕｓ））、エノキサパリン（ＬＯＶＥＮＯＸ（登録商標）（Ａｖｅｎｔｉｓ  Ｐｈａｒｍａ  Ｓ．Ａ．，Ａｎｔｏｎｙ，Ｆｒａｎｃｅ））、ヘパリン（種々の）、チンザパリン（ＩＮＮＯＨＥＰ（登録商標）（Ｌｅｏ  Ｐｈａｒｍａｃｅｕｔｉｃａｌ  Ｐｒｏｄｕｃｔｓ  Ｌｔｄ．，Ｂａｌｌｅｒｕｐ，Ｄｅｎｍａｒｋ）、ワルファリン（ＣＯＵＭＡＤＩＮ（登録商標）（Ｂｒｉｓｔｏｌ−Ｍｙｅｒｓ  Ｓｑｕｉｂｂ  Ｐｈａｒｍａ  Ｃｏｍｐａｎｙ，Ｗｉｌｍｉｎｇｔｏｎ，ＤＥ）））と、抗低血圧薬／昇圧薬（例えば、交感神経興奮薬（例えば、アメジニウム、ドーパミン、ドブタミン、塩酸エフェドリン、エピネフリン、ミドドリン、ノルアドレナリンヒドロタルトレート、フェニレフリン（メサトン））と、グルココルチコイド及びミネラルコルチコイド（例えば、ベタメサゾン、デキサメタゾン、フルドロコルチゾン、ヒドロコルチゾン、プレドニゾロン、プレドニゾン）と、中枢興奮薬（例えば、ベメグライド、カフェイン、カンフル、ニケタミド）と、向精神薬（例えば、アンフェタミン、アトモキセチン、ブプロピオン、デュロキセチン、メタンフェタミン、メチルフェニデート、レボキセチン、ベンラファキシン）と、陽性強心薬（例えば、アムリノン、強心性配糖体（例えば、コルグリコン、ジゴキシン、ストロファンチンＫ）、ミルリノン）と、抗血小板薬（例えば、アスピリン、クロピドグレル（ＰＬＡＶＩＸ（登録商標）（Ｓａｎｏｆｉ  Ｓｏｃｉｅｔｅ  Ａｎｏｎｙｍｅ，Ｐａｒｉｓ，Ｆｒａｎｃｅ））、ジピリダモール、チクロピジン）と、β阻害薬（例えば、アセブトロール（ＳＥＣＴＲＡＬ（登録商標）（Ａｖｅｎｔｉｓ  Ｐｈａｒｍａ  Ｓ．Ａ．，Ｃｅｄｅｘ，Ｆｒａｎｃｅ））、アテノロール（ＴＥＮＯＲＭＩＮ（登録商標）（Ａｌｖｏｇｅｎ  Ｐｈａｒｍａ  ＵＳ，Ｉｎｃ．，Ｐｉｎｅ  Ｂｒｏｏｋ，ＮＪ））、ベタキソロール（ＫＥＲＬＯＮＥ（登録商標）（Ｓａｎｏｆｉ  Ｓｏｃｉｅｔｅ  Ａｎｏｎｙｍｅ，Ｐａｒｉｓ，Ｆｒａｎｃｅ））、ビソプロロール／ヒドロクロロチアジド（ＺＩＡＣ（登録商標）（Ｔｅｖａ  Ｗｏｍｅｎ’ｓ  Ｈｅａｌｔｈ，Ｉｎｃ．，Ｗｏｏｄｃｌｉｆｆ  Ｌａｋｅ，ＮＪ））、ビソプロロール（ＺＥＢＥＴＡ（登録商標）（Ｔｅｖａ  Ｗｏｍｅｎ’ｓ  Ｈｅａｌｔｈ，Ｉｎｃ．，Ｗｏｏｄｃｌｉｆｆ  Ｌａｋｅ，ＮＪ））、カルテオロール（ＣＡＲＴＲＯＬ（登録商標）（Ａｂｂｖｉｅ  Ｉｎｃ．，Ｃｈｉｃａｇｏ，ＩＬ）、メトプロロール（ＬＯＰＲＥＳＳＯＲ（登録商標）（Ｎｏｖａｒｔｉｓ  Ｐｈａｒｍａｃｅｕｔｉｃａｌｓ  Ｃｏｒｐ．，Ｅａｓｔ  Ｈａｎｏｖｅｒ，ＮＪ）、ＴＯＰＲＯＬ  ＸＬ（登録商標）（Ａｓｔｒａｚｅｎｅｃａ  ＬＰ，Ｗａｙｎｅ，ＰＮ））、ナドロール（ＣＯＲＧＡＲＤ（登録商標）（Ｋｉ��ｇ  Ｐｈａｒｍａｃｅｕｔｉｃａｌｓ  Ｒｅｓｅａｒｃｈ  Ａｎｄ  Ｄｅｖｅｌｏｐｍｅｎｔ，Ｉｎｃ．，Ｂｒｉｓｔｏｌ，ＴＮ））、プロプラノロール（ＩＮＤＥＲＡＬ（登録商標）（ＷＹＥＴＨ  ＬＬＣ，Ｌｏｎｄｏｎ，ＵＫ）、ソタロール（ＢＥＴＡＰＡＣＥ（登録商標）（Ｂａｙｅｒ  Ｐｈａｒｍａ，Ｂｅｒｌｉｎ，Ｇｅｒｍａｎｙ）、チモロール（ＢＬＯＣＡＤＲＥＮ（登録商標）（Ｍｅｒｃｋ  Ｓｈａｒｐ＆Ｄｏｈｍｅ  ＣＯＲＰ，Ｗｈｉｔｅｈｏｕｓｅ  Ｓｔａｔｉｏｎ，ＮＪ）））と、カルシウムチャネル遮断薬（例えば、アムロジン（ＮＯＲＶＡＳＣ（登録商標）（Ｐｆｉｚｅｒ，Ｉｎｃ．，Ｎｅｗ  Ｙｏｒｋ，ＮＹ）、ＬＯＴＲＥＬ（登録商標）（Ｎｏｖａｒｔｉｓ  Ｃｏｒｐ．，Ｓｕｍｍｉｔ，ＮＪ））、ベプリジル（ＶＡＳＣＯＲ（登録商標）（Ｊｏｈｎｓｏｎ＆Ｊｏｈｎｓｏｎ，Ｃｏｒｐ．，Ｎｅｗ  Ｂｒｕｎｓｗｉｃｋ，ＮＪ））、ジルチアゼム（ＣＡＲＤＩＺＥＭ（登録商標）（Ｖａｌｅａｎｔ  Ｉｎｔｌ．，Ｂｅｒｍｕｄａ）、ＴＩＡＺＡＣ（登録商標）（Ｂｉｏｖａｉｌ  Ｌａｂｏｒａｔｏｒｉｅｓ  Ｉｎｔｌ．，Ｃｈｒｉｓｔ  Ｃｈｕｒｃｈ，Ｂａｒｂａｄｏｓ））、フェロジピン（ＰＬＥＮＤＩＬ（登録商標）（Ａｓｔｒａｚｅｎｅｃａ  ＡＢ，Ｓｏｄｅｒｔａｌｊｅ  Ｓｗｅｄｅｎ），ニフェジピン（ＡＤＡＬＡＴ（登録商標）（Ｂａｙｅｒ  Ａｋｔｉｅｎｇｅｓｅｌｌｓｃｈａｆｔ，Ｇｅｒｍａｎｙ）、ＰＲＯＣＡＲＤＩＡ（登録商標）（Ｐｆｉｚｅｒ，Ｉｎｃ．，Ｎｅｗ  Ｙｏｒｋ，ＮＹ））、ニモジピン（ＮＩＭＯＴＯＰ（登録商標）（Ｂａｙｅｒ  Ａｋｔｉｅｎｇｅｓｅｌｌｓｃｈａｆｔ，Ｇｅｒｍａｎｙ））、ニソルジピン（ＳＵＬＡＲ（登録商標）（Ｓｈｉｏｎｏｇｉ  Ｉｎｃ．，Ｌｏｎｄｏｎ，ＵＫ）、ベラパミル（ＣＡＬＡＮ（登録商標）（Ｇ．Ｄ．ＳＥＡＲＬＥ＆ＣＯ．，Ｓｋｏｋｉｅ，ＩＬ）、ＩＳＯＰＴＩＮ（登録商標）（ＦＳＣ  Ｌａｂｏｒａｔｏｒｉｅｓ，Ｉｎｃ．，Ｃｈａｒｌｏｔｔｅ，ＮＣ）、ＶＥＲＥＬＡＮ（登録商標）（Ｅｌａｎ  Ｐｈａｒｍａ  Ｉｎｔｌ．，Ｗｅｓｔｍｅａｔｈ，Ｉｒｅｌａｎｄ））と、コレステロール低下薬剤（例えば、クロフィブラート、ゲムフィブロジル、ニコチン酸（ナイアシン）、レジン系薬剤、スタチン系薬剤）と、利尿薬（例えば、アミロライド（ＭＩＤＡＭＯＲ（登録商標）（Ｐａｄｄｏｃｋ  Ｌａｂｏｒａｔｏｒｉｅｓ，Ｉｎｃ．，Ｍｉｎｎｅａｐｏｌｉｓ，ＭＮ））、ブメタニド（ＢＵＭＥＸ（登録商標）（Ｖａｌｉｄｕｓ  Ｐｈａｒｍａｃｅｕｔｉｃａｌｓ  ＬＬＣ，Ｐａｒｓｉｐｐａｎｙ，ＮＪ））、クロロチアジド（ＤＩＵＲＩＬ（登録商標）（Ｍｅｒｃｋ  Ｓｈａｒｐ＆Ｄｏｈｍｅ  Ｃｏｒｐ．，Ｗｈｉｔｅｈｏｕｓｅ  Ｓｔａｔｉｏｎ，ＮＪ））、クロルタリドン（ＨＹＧＲＯＴＯＮ（登録商標）（Ａｍｎｅａｌ  Ｐｈａｒｍａｃｅｕｔｉｃａｌｓ  ＬＬＣ，Ｂｒｉｄｇｅｗａｔｅｒ，ＮＪ））、フロセミド（ＬＡＳＩＸ（登録商標）（Ｓａｎｏｆｉ−Ａｖｅｎｔｉｓ  Ｄｅｕｔｓｃｈｌａｎｄ，Ｆｒａｎｋｆｕｒｔ，Ｇｅｒｍａｎｙ）、ヒドロクロロチアジド（ＥＳＩＤＲＩＸ（登録商標）（Ｃｉｂａ−Ｇｅｉｇｙ  Ｃｏｒｐ．，Ｓｕｍｍｉｔ，ＮＪ），ＨＹＤＲＯＤＩＵＲＩＬ（商標））、インダパミド（ＬＯＺＯＬ（���録商標）（Ｂｉｏｆａｒｍａ  Ｃｏｒｐｏｒａｔｉｏｎ，Ｆｒａｎｃｅ）、及びスピロノラクトン（ＡＬＤＡＣＴＯＮＥ（登録商標）（Ｐｈａｒｍａｃｉａ＆Ｕｐｊｏｈｎ  Ｃｏｍｐａｎｙ  ＬＬＣ，Ｋａｌａｍａｚｏｏ，ＭＩ））と、ニトログリセリンと、ｐＨ上昇薬（例えば、炭酸水素ナトリウム）と、血栓溶解薬（例えば、レテプラーゼ、ラノテプラーゼ、組織プラスミノーゲン活性化因子、スタフィロキナーゼ、ストレプトキナーゼ（ＳＫ）、テネクテプラーゼ、ウロキナーゼ）と、を含む。
【００６３】
種々の実施形態において、１回分の用量は、対象に対してカスタマイズされ得る。このような実施形態において、食事因子、心臓血管機能、胃腸機能、肝機能、免疫機能、腎機能、年齢、性別、体重等が考慮され得る。異常を処置する治療的有効量の例としては、人または動物の体重あたり０．１〜５μｇ／ｋｇまたは０．５〜１μｇ／ｋｇを含み得る。他の例において、用量は、１μｇ／ｋｇ、５μｇ／ｋｇ、１０μｇ／ｋｇ、１５μｇ／ｋｇ、２０μｇ／ｋｇ、２５μｇ／ｋｇ、３０μｇ／ｋｇ、３５μｇ／ｋｇ、４０μｇ／ｋｇ、４５μｇ／ｋｇ、５０μｇ／ｋｇ、５５μｇ／ｋｇ、６０μｇ／ｋｇ、６５μｇ／ｋｇ、７０μｇ／ｋｇ、７５μｇ／ｋｇ、８０μｇ／ｋｇ、８５μｇ／ｋｇ、９０μｇ／ｋｇ、９５μｇ／ｋｇ、１００μｇ／ｋｇ、１５０μｇ／ｋｇ、２００μｇ／ｋｇ、２５０μｇ／ｋｇ、３５０μｇ／ｋｇ、４００μｇ／ｋｇ、４５０μｇ／ｋｇ、５００μｇ／ｋｇ、５５０μｇ／ｋｇ、６００μｇ／ｋｇ、６５０μｇ／ｋｇ、７００μｇ／ｋｇ、７５０μｇ／ｋｇ、８００μｇ／ｋｇ、８５０μｇ／ｋｇ、９００μｇ／ｋｇ、９５０μｇ／ｋｇ、１０００μｇ／ｋｇ、０．１〜５ｍｇ／ｋｇまたは０．５〜１ｍｇ／ｋｇを含む。他の例において、用量は、１ｍｇ／ｋｇ、５ｍｇ／ｋｇ、１０ｍｇ／ｋｇ、１５ｍｇ／ｋｇ、２０ｍｇ／ｋｇ、２５ｍｇ／ｋｇ、３０ｍｇ／ｋｇ、３５ｍｇ／ｋｇ、４０ｍｇ／ｋｇ、４５ｍｇ／ｋｇ、５０ｍｇ／ｋｇ、５５ｍｇ／ｋｇ、６０ｍｇ／ｋｇ、６５ｍｇ／ｋｇ、７０ｍｇ／ｋｇ、７５ｍｇ／ｋｇ、８０ｍｇ／ｋｇ、８５ｍｇ／ｋｇ、９０ｍｇ／ｋｇ、９５ｍｇ／ｋｇ、１００ｍｇ／ｋｇ、１５０ｍｇ／ｋｇ、２００ｍｇ／ｋｇ、２５０ｍｇ／ｋｇ、３５０ｍｇ／ｋｇ、４００ｍｇ／ｋｇ、４５０ｍｇ／ｋｇ、５００ｍｇ／ｋｇ、５５０ｍｇ／ｋｇ、６００ｍｇ／ｋｇ、６５０ｍｇ／ｋｇ、７００ｍｇ／ｋｇ、７５０ｍｇ／ｋｇ、８００ｍｇ／ｋｇ、８５０ｍｇ／ｋｇ、９００ｍｇ／ｋｇ、９５０ｍｇ／ｋｇ、１０００ｍｇ／ｋｇまたはより多くを含み得る。
【００６４】
要するに、（ｉ）薬剤チャンバを含む注射デバイス、及び（ｉｉ）格納区画を含む、注射システムが本明細書に開示された。格納区画は、注射デバイスそれ自体内にある、または、注射デバイスから独立して注射システム内の他の場所に提供され得る。開示されたシステムは、利用者に容易なアクセス及び標準的な医療行為によって精選された内容物の使用を可能にする。薬剤チャンバ及び格納区画は、一緒に、主薬剤（例えば、アレルギー反応を処置するためのエピネフリン）、補助薬剤（例えば、投与部位を処置するための消毒薬）、余分の用量（例えば、万一、第１の用量が失敗したときのエピネフリンの第２の用量）、補足的な薬剤（例えば、抗ヒスタミン剤またはステロイドの用量）、ならびに／または薬剤の投与を補助する薬剤及び材料（例えば、針、殺菌材料、ガーゼ、及び／もしくは包帯を含む１つ以上の薬剤）を提供する。
【００６５】
例示的な実施形態。
１．シリンジの薬剤チャンバ内への挿入のための遠位端と、格納区画を含む近位端と、を含むシリンジプランジャ。
２．格納区画は、薬剤及び／または医療用品を収容する、実施形態１のシリンジプランジャ。
３．薬剤または医療用品は、抗ヒスタミン剤、コルチコステロイド、消毒薬、抗不整脈薬、昇圧薬、ｐＨ上昇薬、針、スポンジ、ガーゼ、管、及び／または針から選択される、実施形態１または２に記載のシリンジプランジャ。
４．シリンジであって、薬剤が排出され得る開口部を有する遠位端、及びプランジャが挿入され得る近位端を含む薬剤チャンバと、薬剤チャンバ内への挿入のための遠位端、及び格納区画を備える近位端を有するシリンジプランジャと、を備える、シリンジ。
５．格納区画は、薬剤及び／または医療用品を収容する、実施形態４に記載のシリンジ。
６．格納区画は、経口薬または塗り薬を収容する、実施形態４または５に記載のシリンジ。
７．薬剤は、エピネフリン、抗ヒスタミン剤、コルチコステロイド、抗不整脈薬、昇圧薬、ｐＨ上昇薬、または消毒薬である、実施形態４〜６のいずれか１つに記載のシリンジ。
８．格納区画は、針、ガーゼ、スポンジ、または管を収容する、実施形態４〜７のいずれか１つに記載のシリンジ。
９．格納区画は、取り外し可能な封止体によって覆われる、実施形態４〜８のいずれか１つに記載のシリンジ。
１０．取り外し可能な封止体は、キャップ、ホイル、またはラップである、実施形態４〜９のいずれか１つに記載のシリンジ。
１１．スポンジは、封止体が格納区画の開口部から取り外された後に格納区画の外側に延在する、実施形態４〜１０のいずれか１つに記載のシリンジ。
１２．薬剤チャンバは、主薬剤が予め装填され、格納区画は、補助薬剤、余分の用量、補足的な薬剤、及び／または医療用品を収容する、実施形態４〜１１のいずれか１つに記載のシリンジ。
１３．シリンジとは別個の（ｉ）主薬剤、及び（ｉｉ）補助薬剤、余分の用量、補足的な薬剤、及び／または医療用品を格納区画内に有するキット内に提供される、実施形態４〜１２のいずれか１つに記載のシリンジ。
１４．少なくとも２つのシリンジであって、各シリンジが、薬剤が排出され得る開口部を有する遠位端、及びプランジャが挿入され得る近位端を含む薬剤チャンバを有する、シリンジと、プランジャであって、各プランジャが、薬剤チャンバ内への挿入のための遠位端、及び格納区画を有するプランジャのうちの少なくとも１つの近位端を有する、プランジャと、を備える、複数注射デバイス。
１５．シリンジは、物理的に連結される、実施形態１４に記載の複数注射デバイス。
１６．２つ、３つ、または４つのシリンジを備える、実施形態１４または１５に記載の複数注射デバイス。
１７．薬剤チャンバは、出口体が出口体開口部と整列されたチャンバを除く全てのチャンバからの薬剤放出を阻止するように、薬剤放出用の開口部を備える出口体に接続される、実施形態１４〜１６のいずれか１つに記載の複数注射デバイス。
１８．出口体は、薬剤解放用の単一開口部を備える、実施形態１４〜１７のいずれか１つに記載の複数注射デバイス。
１９．出口体は、中心軸を中心として回転する、実施形態１４〜１８のいずれか１つに記載の複数注射デバイス。
２０．出口体は、薬剤チャンバに固定的に取り付けられる第１の部分と、第１の部分に回転自在に結合され第１の部分に対して中心軸を中心として回転するように構成された第２の部分と、を有する、実施形態１４〜１９のいずれか１つに記載の複数注射デバイス。
２１．シリンジは、箱または袋内に収容される、実施形態１４〜２０のいずれか１つに記載の複数注射デバイス。
２２．治療的有効量の主薬剤は、箱または袋内のシリンジとは別個に提供される、実施形態１４〜２１のいずれか１つに記載の複数注射デバイス。
２３．箱または袋内においてシリンジとは別個に、補助薬剤、余分の用量、補足的な薬剤及び医療用品をさらに備える、実施形態１４〜２２のいずれか１つに記載の複数注射デバイス。
２４．１つの薬剤チャンバは、治療的有効量の主薬剤が予め装填され、１つの薬剤チャンバは、補助薬剤、余分の用量、または補足的な薬剤が予め装填され、格納区画は、医療用品を収容する、実施形態１４〜２３のいずれか１つに記載の複数注射デバイス。
２５．１つの薬剤チャンバは、治療的有効量の主薬剤が予め装填され、１つの薬剤チャンバは、補助薬剤、余分の用量、または補足的な薬剤が予め装填され、格納区画は、異なる補助薬剤、余分の用量、または補足的な薬剤を収容する、実施形態１４〜２４のいずれか１つに記載の複数注射デバイス。
２６．健康異常の処置用の携帯用キットであって、機構に関連付けられた少なくとも２つのシリンジ、格納区画、主薬剤、補助薬剤、余分の用量、補足的な薬剤、及び医療用品を備える、携帯用キット。
２７．機構は、少なくとも２つのシリンジの同時使用を可能にする、実施形態２６に記載の携帯用キット。
２８．主薬剤は、アレルギー反応または心臓の異常を処置するための治療的有効量で提供される、実施形態２６または２７のいずれか１つに記載の携帯用キット。
２９．薬剤が排出され得る開口部を有する遠位端、及びプランジャが挿入され得る近位端を含む薬剤チャンバと、薬剤チャンバ内への挿入のための遠位端、及び格納区画を備える近位端を有するシリンジプランジャと、を備えるシリンジを得ることと、シリンジ内に収容されている主薬剤を対象に投与することと、を含む方法。
３０．格納区画は、医療用品、補助薬剤、または補足的な薬剤を含有する、実施形態２９に記載の方法。
３１．医療用品は、消毒薬ワイプであり、さらに、消毒薬ワイプを格納区画から取り出すことと、主薬剤を投与する前に対象の注射部位を清潔にすることと、を含む、実施形態２９または３０に記載の方法。
３２．さらに、補足的な薬剤を格納区画から取り出すことと、補足的な薬剤を対象に投与することと、を含む、実施形態２９〜３１のいずれか１つに記載の方法。
３３．さらに、補助薬剤を格納区画から取り出すことと、補助薬剤を対象に投与することと、を含む、実施形態２９〜３２のいずれか１つに記載の方法。
３４．少なくとも２つのシリンジであって、各シリンジが、薬剤が排出され得る開口部を有する遠位端、及びプランジャが挿入され得る近位端を含む薬剤チャンバを有するシリンジと、プランジャであって、各プランジャが、薬剤チャンバ内への挿入のための遠位端、及び格納区画を有するプランジャの少なくとも１つの近位端を有するプランジャと、を備える複数注入デバイスを得ることと、少なくとも２つのシリンジの第１のシリンジ内に収容されている主薬剤を対象に投与することと、を含む方法。
３５．格納区画は、医療用品、補助薬剤、または補足的な薬剤を含有する、実施形態３４に記載の方法。
３６．医療用品は、消毒薬ワイプであり、さらに、消毒薬ワイプを格納区画から取り出すことと、主薬剤を投与する前に対象の注射部位を清潔にすることと、を含む、実施形態３４または３５に記載の方法。
３７．さらに、補足的な薬剤を格納区画から取り出すことと、補足的な薬剤を対象に投与することと、を含む、実施形態３４〜３６のいずれか１つに記載の方法。
３８．さらに、補助薬剤を格納区画から取り出すことと、補助薬剤を対象に投与することと、を含む、実施形態３４〜３７のいずれか１つに記載の方法。
３９．さらに、少なくとも２つのシリンジの第２のシリンジの内容物を対象に投与することを含む、実施形態３４〜３８のいずれか１つに記載の方法。
４０．第２のシリンジの内容物は、主薬剤の余分の用量、補助薬剤、または補足的な薬剤である、実施形態３４〜３９のいずれか１つに記載の方法。
４１．複数注射デバイスを作製する方法であって、第１のプランジャが格納区画を備える近位端を有する少なくとも２つのプランジャを形成することと、少なくとも２つの薬剤チャンバを形成することと、少なくとも２つのシリンジが形成されるように少なくとも２つのプランジャの遠位端を少なくとも２つの薬剤チャンバの近位端内に挿入することと、を含む、方法。
４２．主薬剤を少なくとも２つのシリンジの第１のシリンジ内に装填することをさらに含む、実施形態４１に記載の方法。
４３．主薬剤の余分の用量を少なくとも２つのシリンジの第２のシリンジ内に装填することをさらに含む、実施形態４１または４２に記載の方法。
４４．補助薬剤または補足的な薬剤を少なくとも２つのシリンジの第２のシリンジ内に装填することをさらに含む、実施形態４１〜４３のいずれか１つに記載の方法。
４５．さらに、医療用品、補助薬剤、または補足的な薬剤を格納区画内に挿入することと、格納区画を取り外し可能な封止体または蓋によって覆うことと、を含む、実施形態４１〜４４のいずれか１つに記載の方法。
４６．少なくとも２つの薬剤チャンバは、単一片において形成される、実施形態４１〜４４のいずれか１つに記載の方法。
４７．少なくとも２つの薬剤チャンバは、連結機構によって連結される、実施形態４１〜４４のいずれか１つに記載の方法。
４８．少なくとも２つの薬剤チャンバは、出口体が出口体開口部と整列されるチャンバを除く全てのチャンバからの薬剤放出を阻止するように、薬剤放出用の出口体開口部を備える出口体に接続される、実施形態４１〜４４のいずれか１つに記載の方法。
【００６６】
当業者の１人によって理解されることになるように、本明細書に開示される各実施形態は、その特定の記載された要素、ステップ、成分、または構成要素を備える、これらから本質的になる、またはこれらからなる。したがって、用語「含む」または「含んでいる」は、「備える、からなる、から本質的になる」を列挙するように解釈されるべきである。本明細書に使用される、接続語「備える」は、限定されるものではないが、不特定の要素、ステップ、成分、または構成要素を、主要な量でさえ含み、許容することを意味する。接続句「からなる」は、特定されていない任意の要素、ステップ、成分または構成要素を除外する。接続句「から本質的になる」は、実施形態の範囲を特定された要素、ステップ、成分、または構成要素、及び実施形態に重大な影響を及ぼさないものに限定する。本明細書において使用される、重大な影響は、薬剤または医療用品を収容する格納区画の性能における統計学的に有意な低下を引き起こすことになる。
【００６７】
別途示されない限り、明細書及び請求項において使用される分子量、反応条件等のような成分、性質の量を表現する全ての数は、用語「約」によって全ての実例において修正されるものとして理解されるべきである。よって、正反対に示されない限り、明細書及び添付の請求項において明らかにされる数値的パラメータは、概算であり、本発明によって得られることを求める所望の性質に応じて変更し得る。最低限、そして請求項の範囲と同等の原理の適用を限定しようとするものではなく、各数値的パラメータは、少なくとも報告された有効数字の桁数を考慮し通常の丸め手法を適用することによって解釈されるべきである。更なる明確さが必要とされる場合、用語「約」は、記載された数値または範囲と合わせて使用されるときに当業者によってそれに合理的に与えられる意味を有し、つまり、記載された数値の±２０％、記載された数値の±１９％、記載された数値の±１８％、記載された数値の±１７％、記載された数値の±１６％、記載された数値の±１５％、記載された数値の±１４％、記載された数値の±１３％、記載された数値の±１２％、記載された数値の±１１％、記載された数値の±１０％、記載された数値の±９％、記載された数値の±８％、記載された数値の±７％、記載された数値の±６％、記載された数値の±５％、記載された数値の±４％、記載された数値の±３％、記載された数値の±２％、または記載された数値の±１％の範囲内であるように、記載された数値または範囲よりも少し上または少し下を意味する。
【００６８】
本発明の幅広い範囲を明らかにする数値的範囲及びパラメータが概算であることに関わらず、特定の例において明らかにされた数値は、可能な限り正確に報告される。任意の数値は、しかしながら、それらそれぞれの試験測定値において認められる標準偏差から必然的に結果的にもたらされるある特定の誤差を本質的に含有する。
【００６９】
用語「ａ」、「ａｎ」、「ｔｈｅ」及び本発明を説明する文脈（特に以下の請求項の文脈）において使用される類似の参照は、本明細書に別途示されない限り、または文脈によって明確に否定されない限り、単数及び複数の両方を包含するように解釈されるべきである。本明細書における値の範囲の列挙は、範囲内に収まる各別個の値を個別的に参照する簡易表記法として提示されることが単に意図される。本明細書に別途示されない限り、各個々の値は、本明細書に個別的に列挙されるものとして、明細書に組み込まれる。本明細書において説明された全ての方法は、本明細書に別途示されない限り、または文脈によって別途明確に否定されない限り、任意の適切な順番において行われ得る。本明細書において提供される任意及び全ての例、または例示的な言葉（例えば、「のような」）の使用は、単に本発明を良好に例示することが意図され、別途主張される本発明の範囲における限定を持ち出すものではない。本明細書における全ての言葉は、本発明の実施に不可欠な任意の主張されていない要素を示すものとして解釈されるべきではない。
【００７０】
本明細書に開示される発明の代替的要素または実施形態のグループ化は、限定的に解釈されるべきではない。各分類の構成要素は、個別的、またはグループの他の構成要素もしくは本明細書において認められる他の要素との任意の組み合わせにおいて参照され主張され得る。グループの１つ以上の構成要素が便宜上及び／または特許要件の理由でグループに含まれ得る、またはグループから削除され得ることが予期される。任意のこのような包含または削除が起こるとき、明細書は、修正されたグループを含有するものとみなされ、したがって、添付される請求項において使用される全てのマーカッシュグループの記載された説明を満たす。
【００７１】
本発明のある特定の実施形態が本明細書において説明され、本発明者にとって既知の本発明を実行するための最良モードを含んでいる。もちろん、これらの説明された実施形態における変形例が、前述の説明を読むことに際して当業者に明らかになるであろう。本発明者は、当業者がこのような変形例を適切なものとして用いることを予期し、本発明者は、本明細書に具体的に説明されたものとは異なるように本発明が実施されることを意図する。よって、本発明は、適用法令によって許されるように、本明細書に添付される請求項において列挙される対象の全ての修正及び同等物を含む。さらに、それらの全ての可能な変形例における上記の要素の任意の組み合わせが、本明細書に別途示されない限り、または文脈によって別途明確に否定されない限り、包含される。
【００７２】
さらに、参照が、特許、出版物、雑誌論文、及び他の本明細書を通して記載された文章（ここでは参照物とする）に対してなされている場合、参照物の各々は、それらの参照された教示に対するそれらの全体における参照によって本明細書に個別的に組み込まれる。
【００７３】
本明細書に示された特徴は、例として、及び本発明の好ましい実施形態の例示的な検討の目的のためのみのものであり、最も有用であると思われるものを提供し、本発明の種々の実施形態の原理及び概念的態様の説明が、たやすく理解されるように提示される。この点について、本発明の基礎的な理解、本発明の数個の形式が実施において具体化され得る方法を当業者に明らかにする図面及び／または例を伴う説明のために必要である以上により詳細に本発明の構造的詳細を示すつもりはない。
【００７４】
本開示において使用される定義及び説明は、明確かつ明白に後続する例において修正されない限り、または意味の適用が、意味のないもしくは本質的に意味のない任意の解釈を与えるときに、任意の将来の解釈において照査していることが意味され意図される。用語の解釈が意味のないまたは本質的に意味のないものを与えることになる場合において、定義は、  Ｗｅｂｓｔｅｒ’ｓ  Ｄｉｃｔｉｏｎａｒｙ，３rd  Ｅｄｉｔｉｏｎ、またはＯｘｆｏｒｄ  Ｄｉｃｔｉｏｎａｒｙ  ｏｆ  Ｂｉｏｃｈｅｍｉｓｔｒｙ  ａｎｄ  Ｍｏｌｅｃｕｌａｒ  Ｂｉｏｌｏｇｙ  （Ｅｄ．Ａｎｔｈｏｎｙ  Ｓｍｉｔｈ，Ｏｘｆｏｒｄ  Ｕｎｉｖｅｒｓｉｔｙ  Ｐｒｅｓｓ，Ｏｘｆｏｒｄ，２００４）ような、当業者に既知の辞書から得られるべきである
【００７５】
最後に、本明細書に開示された本発明の実施形態が、本発明の原理の例示的なものであることが理解されるべきである。用いられ得る他の修正は、本発明の範囲内である。したがって、例として、限定ではなく、本発明の代替的構成が本明細書における教示によって利用され得る。よって、本発明は、示され説明されたものに正確に限定されるものではない。
【図１】
2018512932.tif 000003
【図２Ａ】
2018512932.tif 000004
【図２Ｂ】
2018512932.tif 000005
【図２Ｃ】
2018512932.tif 000006
【図２Ｄ】
2018512932.tif 000007
【図２Ｅ】
2018512932.tif 000008
【図３】
2018512932.tif 000009
【図４】
2018512932.tif 000010
【図５】
2018512932.tif 000011
【図６】
2018512932.tif 000012
【図７】
2018512932.tif 000013
【国際調査報告】
2018512932.tif 000014
2018512932.tif 000015
2018512932.tif 000016